(57)【要約】【課題】  壁掛装置は、対象物を装着希望位置に背後隙間をあけずに装着し、前後左右に傾かない装着状態を地震や衝撃でも保持し、装着位置に構造材がなくても絶対に落下させてはいけません。一方で目立たず、壁掛装置を見ないでも着脱できるという矛盾した要求があり、容易に着脱できて前後左右に傾かない装着状態を保持する壁掛装置が課題です。【解決手段】  構造材や構造物に一端を固定した連結条材にフックを固定する壁掛装置の構成は、構造材がない希望位置でも対象物を装着でき、突出量が少ないフックは、対象物背面の隙間を少なくし、中央を輪にした掛け紐は、上端面があるフックに容易に掛け外せて左右に傾かず、重力や条材の張力を利用して、複数箇所の面接触で支持・保持する壁掛装置の構成は、容易に着脱できて前後左右に傾かない装着状態を保持します。【選択図】      図７
0003126148.tif 000002
【実用新案登録請求の範囲】
【請求項１】
上端に紐を掛ける面がある中央の設置手段部Fxで、左右位置にあるツバ状板Fgの前記Fx側の面を、装着面と間隔をあけて対向させて設置して、前記左右の対向面で抜け留め保持し、前記Fxの上端面の手前上方には抜け留め機能の面が実質的になく、前記対向面の上端に左右に略水平な面がある構造のフックH*に、対象物に端を固定した、変形自在で細長い線や帯状の掛け紐FOを、前記Fxの上端面に掛けて重量を支持する構成の壁掛装置。
【請求項２】
装着位置に設置した請求項１のフックH*と掛け紐FOとの壁掛装置と、対象物背面の上部にある保持構造C*と、下部で装着面と接触する間隔保持機能S*と、で構成する壁掛装置であって、前記C*には、フックH*が上下に通過できる大きさの空間が中央にあり、前記空間の左右にはフックH*の対向面と接触する略鉛直な対向面と、前記対向面の下端から装着面の方向と左右に下降する傾斜面とがある、前記C*の板Fgが左右に離れてある構造で、
前記C*と前記H*との寸法関係は、左右に離れた前記対向面の外側および内側の幅は、前記H*のFgおよびFxのそれぞれの左右幅より広くて、前記対向面同士を接触させた状態で自由に上下に動かせ、前記空間の前後の間隔および装着面と前記H*の対向面との間隔は、それぞれの間隔内に相手の板Fgを入れて前記対向面同士を接触させた装着状態で、対象物下端の背面に指が入る程度の隙間ができるように設定されている壁掛装置。
【請求項３】
請求項２に記載の保持構造C*の要素部分に加えて、フックH*のツバ状板Fgの水平上端面と接触して機能する下端面がある板Spが上端部にあり、前記上下端面を接触させて、重量支持と左右の水平と高さ位置も保持する機能がある、対象物背面の上部に配置した支持・保持構造C*Spと、下部で装着面と接触する間隔保持機能と、装着位置に設置したフックH*と、掛け紐FOとを構成要素に含む壁掛装置。
【請求項４】
前後左右に傾かない装着状態と装着位置を保持するため、装着面の方へ引っ張って固定する変形自在で細長い線や帯状の条材FPと、補助部品を取り付けるか加工をして前記FPの一端を固定する手段が上端部にある対象物と、下方で装着面と接触する間隔保持機能部品または突出部分と、装着面近傍の位置で、前記FPの他端を固定する手段がある部品や装置と、対象物の重量を支持する掛け紐とフックの構成と、で構成した壁掛装置。
【請求項５】
前後面がある構造物の端面部に鞍形状の前後脚を被せて、変形自在で細長い線や帯状の連結条材FHや引っ張り条材FPの前記鞍形状にある部分をFDとして、前記FDを前記端面部に固定する装置で、略Ｌ字形状の前脚DFと後脚DRからなり、前後脚は端面の後面側で一部が重なり、前後脚の中央上端に前記FDが入る穴か、または上端から下方に抜ける溝があり、後脚DRには前記FDを固定する手段が、前脚DFには前記端面に接触する面がある構造で、
前記条材FDは、一端を後脚DRの穴または溝を通して上端の固定手段部に固定して、前脚DFの上部から前記DF側の穴または溝に入り、連結条材FHや引っ張り条材FPとして伸び、装着位置のフックや補助部品等に連結固定して支持・保持する壁掛装置の構成要素で、前記FDの張力で、後脚DRを構造物の後面へ、前脚DFを端面と前面へ押しつけて構造物前後面を挟みつけ、面接触による摩擦力で前後面がある構造物の端部に固定する構造の固定装置D*。
【請求項６】
装着面と５mm以下の間隔をあけて、上方の構造材に木ネジで固定した水平上端面がある角棒BBと、固定装置D*とで構成する固定装置。
【請求項７】
壁掛装置の構成要素を対象物に取り付ける手段を与える、変形自在で細長い線や帯状の連結条材FCと、対象物の角部に配置する穴や切欠きがある補助部品CNとを構成要素に含む固定装置で、対象物の直角な二端面と前面の一部とに前記FCかまたはCNが接触して、背面に沿って前記二端面を押しつける方向に引っ張り、張力で対象物の厚みを前後に挟みつけて固定して、前記構成要素を前記CNの穴や切欠きに固定するか掛け留めする固定装置。
【考案の詳細な説明】
【技術分野】
【０００１】
本考案は装着対象物の重量を支持し装着状態を保持する壁掛装置の構成要素と、対象物や装着場所の状況に合わせた組み合わせ、および着脱方法に関します。
【背景技術】
【０００２】
従来の壁掛装置の技術や思想と、本考案との違いについて説明します。従来は装着環境や希望にできるだけ近い壁掛装置を探して、矛盾に対しては何かを犠牲にするか諦めて、多少の不満や不安は残して装着していました。
【０００３】
従来の壁掛装置は、対象物裏の装着位置に設置したフックに、対象物背面の掛け紐や、穴や切欠きの下端点を掛けて、または一対の嵌め合い構造の壁掛装置で、重量支持と装着状態を保持しています。装着位置には構造材がない場合も多く、落下の不安が残ります。着脱は対象物裏を覗きこみながら、あるいは勘でですが、見難い場所の点と点を合わせる装着は困難で、点接触では傾き、装着面と接触する下端辺で装着状態を保持しています。
本考案の壁掛装置も、主要構成要素のフックは装着位置に設置しますが、重量は構造材や構造物で支持します。装着位置に構造材があれば木ネジで、なければ上方で一端を固定した条材に連結固定して、装着面には位置決め固定して、希望の位置にフックを設置します。着脱が容易にできて、位置と前後左右に傾かない装着状態を保持するため、フックは点接触や嵌め合い構造ではなく、接触して機能する面が複数あります。
【０００４】
「嵌め合い」と「接触」を定義します。対向面があり、間隔部分に相手の板が入る構造の場合、入れた状態で対向した両方の面と接触していれば「嵌め合い」、押しつけた側の面とは接触して、押しつけなければ接触しない遊びがある状態を「接触」と定義します。微妙な場合、対象物上部の壁掛装置を機能させた装着状態で、下部の裏側に指が入る隙間(２cm以上)ができれば「接触」、指が入る隙間ができなければ「嵌め合い」とします。
通常遊びがないと接触面と直角方向への動かすには大きな摩擦抵抗が作用し、装着状態を保持するには有効ですが、着脱は困難です。圧入など、嵌合を厳しくするほど着脱は困難になります。本考案の主要な解決課題である、容易な着脱を実現するには、「嵌め合い」ではなく「接触」で支持・保持されなければなりません。
【０００５】
過去の壁掛装置は装着対象物の背面上部両端に固定した紐を、上方の構造材である柱や桟などの木材に、釘類やフックを設置して掛けていました。頭上で行う設置や装着作業は困難で、壁掛装置が見えて見映えも良くありません。最近は目線の高さが多く、対象物の裏側で掛けて紐やフックは見えないのですが、裏側の狭い隙間で掛ける作業も容易ではなく、対象物は前方へ傾き、装着位置に構造材がない場合が多く、落下の不安が残ります。
薄壁や脆い壁では、桟や柱など見える構造材や、壁内にあるはずの横木や間柱などを音で探して、希望位置から外れても構造材に木ネジで設置しています。ガラスやコンクリートの面とか、傷をつけたくない壁面とか、木ネジでの設置に適さない場合も多くあります。それぞれの壁面に適した設置手段を工夫し、接着や吸着で設置するフックもありますが、経時変化や取付面の状況で耐荷重量が大きく変わり、落下の不安が残ります。
展示会場など対象物や位置を頻繁にかえる場所では、左右に移動できるレールを上方に設置して重量を支持し、細いワイヤで目線の高さ位置にフックを連結固定して、対象物の裏側で重量支持の紐を掛け、さらに前記紐を装着面に固定して裏側の隙間と前方への傾きを少なくしていますが、狭い隙間での作業は容易でなく、多少前方への傾きが残ります。落下の不安はありませんが、装着面との間にフックの厚さ以上の隙間ができます。
本考案では装着位置に構造材があれば、厚さが薄いフックHSを木ネジで設置しますが、構造材がない場合、上方で固定した条材FHに連結固定して装着面に位置決め固定する手段があるフックHFで、希望位置に装着します。上方で条材FHの一端を固定するには、前後面がある構造物の上縁での固定装置D*、またあらかじめ壁内の構造材の位置に、目立たないフックHSを常設しておくことも提案しています。
【０００６】
構造材に木ネジで設置する、従来の汎用フックの構造例を[図１−５]に示します。紐を掛けて重量を支持する略水平部分が突き出し、同じ左右幅で上方に向かって抜け留め部分と、突き出しの根元部分を固定している取付板があり、重量を支持する根元接合部に十分な強度が要求されます。掛け外しを容易にするためには、装着面からの十分な突き出し量と、上方に十分な空間が必要で、狭い場所や見えない場所では、着脱が困難です。
従来のフックの抜け留めは、紐を掛ける部分の幅で手前上方にあります。重力は下方に働くので、抜け留めが上方にあれば乗り越えなければ外れず、外したいときは紐を上方に持ち上げて外せます。地震の上下動など瞬時的には紐が剛体となって対象物と一緒に飛び上がり、乗り越える可能性があります。輪や穴を掛ければ外れ難いのですが、装着状態で縦方向の輪や穴を上方から掛けるのは容易ではなく、見えない場所ではさらに困難です。
従来のフックには、抜け留め部分を木の葉などさまざまな形状にしたインテリアフックもあります。釘や木ネジの頭も同様ですが、重量を支持する丸棒の上下左右に抜け留めの略鉛直面があり、上下の面を乗り越えて掛け外す作業が困難です。本考案のフックH*は、左右に抜け留め面があり、上方に抜け留め面がないので、水平な上端面に横から縦方向の輪を掛けて、重量を上端面で支持しながら、紐FOを容易に掛け外しすることができます。
【０００７】
従来の汎用フックの設置は、[図１−５]に示すように紐掛け位置の上方一箇所で取付板をネジ釘で固定します。取付板の下端を支点にして、装着面から取付板を引き剥がす力に対して、ネジの引っ掛かり量が少なくても対抗できるからです。重力方向にネジ釘を引き抜く力はかかりませんが、取付板と重量支持部分との間に、突き出しの根元部分など強度が心配な接合・固着部分があります。
[図１−４]に示すように、ネジ類で固定するフックHSは、構造材Stに設置する木ネジの胴体に直接紐が掛かる構造で、強度が心配な接合・固着部分がなく、また前面が平面で、突起物がない構造です。[図１−５]の従来フックと比較してみると、装着面からの突出量が少なく、略水平な上端面h2で重量を支持しながら、狭い隙間でも、手探りでも、容易に着脱でき、地震の上下動でも掛け紐が外れ難い構造であることが理解できると思います。
【０００８】
穴や切欠きを形成する縁部があり、釘や木ネジやＬ字フックなどに穴や切欠きの下端面を掛けて点接触で重量を支持し、奥の空間に釘などの頭やＬ字略鉛直部が入って抜け留めとなる、[図２−５]の構造例などが背面上部に組み込まれた対象物があります。対象物の裏側に位置する釘などは前から見えず、背面が装着面と接触すれば前後に傾かない保持ができるのですが、見えない場所の穴や切欠きに釘の頭などを入れるのが困難です。
着脱を容易にするには、[図２−５]右図に点線で示すように下方が広い傾斜溝にすればよいことは容易に考えられますが、面積が多少広くなっただけで見えない場所にあることは変わりなく、前後の嵌め合わせには前記傾斜溝は関係せず、厳しい前後の嵌め合い構造にすると着脱が困難になります。また前後の嵌め合わせを楽にするためフックの突出量を多くすると、上端部が装着面から浮き、対象物は前後に傾きます。
【０００９】
[特許文献１]は壁面に突設されたビス等の係入を誘導する落込穴と、連通する横長状の調整穴とが形成されている鏡取付金具です。鏡の裏で見えない場所にあり、左右は落込穴の幅内に入れば挿入は容易にみえますが、水平下端面と接触させて左右に動かせば、傾斜がなくても溝に入ります。むしろ前後方向が、前記ビス等の頭が落込穴と鏡面裏との間に入る関係になり、前記ビス等の突設量が少ないと、裏側に指も入らず着脱は困難です。
[図２−５]左図のように傾けて落込穴の奥にビス等の頭が入るか、装着状態を保持できるかが問題です。本考案の保持構造C*は前方への傾斜面c0があり、[図２−３]のように傾けて着脱でき、鉛直な対向面同士が接触して装着状態を保持します。前記c0には左右の傾斜もありますが、目的は逃げで、着脱を容易にする傾斜面は、面c0の奥に傾斜面Slがあり、フックH*のPrと接触して機能します。
【００１０】
前記参照文献に記載の鏡など、穴あけが容易にできない対象物に壁掛装置の構成要素を取り付けて機能させるには、[図６−２・３]に示すように、補助部品CNを対象物の複数の角部に配置して、連結条材FCで連結しながら前後で挟み付けて固定して、壁掛装置の構成要素を取り付ける本考案の固定装置が利用できます。
【００１１】
従来額縁の装着は、天井近くに釘やフックを設置し、額縁の背面に固定した紐を掛け、額縁下辺を額受や横木構造材の上面で受けて、下方に傾かせた状態で見上げていました。最近は、目線の高さの装着が多いようですが、対象物の重心位置が紐の固定位置より手前にあるために、側方から見ると下方へ傾きます。傾く量を減らすために、額縁の裏の狭い隙間で紐や条材を装着面に固定する作業は容易ではなく、まだ少し傾いています。
両面を使うボードやパネルなどでは、外枠の上端面で厚み中央の左右対称位置二箇所にリングを設けて紐を固定し、紐を上方で掛けて装着面に略平行に装着しています。厚さが薄い前記ボードでは装着面に平行に見えますが、厳密には前後の重心の真上で掛けなければならず、また対称でない前後の重心位置を知ることは困難で、強度や見映えなど問題も多く、重量物や厚い対象物では採用されていません。
【００１２】
[特許文献２]は上部に横設したレールの左右二箇所に吊り下げ具を係合させ、前後位置になるように二本の独立した吊り下げ条材を、被支持部材の前後位置で各々吊り下げた、前後の傾きをなくす四点壁面吊り下げ装置です。天井からの吊り下げでは利用されている技術ですが、重量がかかった四本の条材を、上方の吊り下げ具に固定するのは困難な構造で、着脱容易で傾かないという課題を解決させる手段ではありません。
本考案の壁掛装置では、重量支持の機能は別に分担し、引っ張り条材FPの一端は、前後左右に傾かない装着状態と装着位置を保持するため、装着面方向へ張力をかけた状態で、前記レールより装着面により接近した、装着面から５mm以内の位置で固定されます。重量が支持された状態で傾き状態を見ながら作業して装着状態を保持しますので、重量を支持しながら掛けて、確認して調整する作業に比べて容易にできます。
【００１３】
参照文献の棚に置くという作業は容易にできますが、条材で吊るした棚は、剛体で固定した棚より地震や衝撃のとき棚板自体が大きく傾き、置いた対象物が落ちる危険性が大きく、本考案での課題解決手段ではありません。棚板は保持されても、置いた物が落ちたのでは意味がありません。多連Ｊフックの実施例も開示されていますが、さらに下方へ吊り下げるためのフックを前後位置で吊り下げる必然性もありません。
【００１４】
凹み形状が中央にあり、両側に取り付け用のツバ面がある同一幅と厚さの板金金具と、前記凹みに入る厚さと幅の部分がある略Ｊ字形状の金具と、で構成された「差込フック」という壁掛装置があります。差し込まれる略Ｊ字金具の抜け留め機能部分は垂直でなく、前記凹みを形成している鉛直面と面接触せず遊びがあり、嵌め合い構造ではありませんが見ないで入口を合わせるのは困難な構造で、装着した対象物は下方に傾きます。
本考案のフックH*と構造C*の組み合わせは、対向する面同士を接触させて前後の位置を決め、下方の保持部品S*も装着面と接触して間隔を保持し、前後に傾きません。フックH*には紐を掛ける部分があり、先に紐を掛けた後で前記C*を接触させるとき傾斜面もあり、フックH*を見なくても着脱できます。また装着位置に構造材がない場合、差込フックには耐荷重量を保証する手段がありませんが、フックH*には上方からの連結手段があります。
【００１５】
[特許文献３]は、物を載せる横長い棚板の取付構造に関するもので、嵌合で支持・保持をしている事例です。後方へ下降し取付面とでアリ溝を形成する支持片と、支持片と一致する傾斜面を有し支持される取付片と、一方に穴と、他方に穴と嵌合して保持するために外周に凹凸がある固定片とで構成されています。穴と固定片は圧入で、見ないで合わせるのは困難で、位置が合っても圧入の深さを感触で知るのは容易ではありません。
本考案の構造C*の空間に入るフックH*の板Fgは圧入ではなく、対象物下端と装着面との間に指を入れられる隙間ができる板厚と空間間隔に設定されます。圧入では容易に着脱という課題の解決はできません。また短い圧入部分だけで対象物が前後に傾かないよう保持しようとすると、圧入部分にかかる負担が大きすぎます。本考案では、上部と下部の距離のある二位置で垂直面を接触させて、上下の間隔を等しく保持します。
【００１６】
[特許文献４]は、傾斜辺のツバと、嵌め合う傾斜溝とで抜け留めをする、二部品で構成される壁掛装置です。アリ溝構造の従来技術例も含めて、前後が嵌め合いになっており、見ないで入口形状を合わせることは、前述の差込フックよりさらに困難です。嵌め合いの思想では、装着状態を保持するために、ツバの厚さと溝幅との差は少ないほど、また嵌め合い距離は長いほど望ましい構造ですが、着脱は困難になります。
本考案では着脱の容易さが課題の一つですので、嵌め合い構造は採用できません。嵌め合いにみえるツバ板Fgの厚さと入る空間Crとの関係は、対向面同士を接触させた装着状態で、対象物下端の背面に指を入れる隙間ができるよう設定しています。対象物の下端両側を持って装着面に対象物の上端をあて、傾けた状態で着脱できます。面積の小さい部分Prと傾斜面Slが接触して小さな摺動抵抗で動かせ、着脱をさらに容易にしています。
【００１７】
[特許文献５]は、装着状態では傾斜面同士の接触で支持・保持し、抜け留めの鉛直部分が別にある壁掛装置です。着脱を容易にする傾斜面の延長部分で重量支持され、本考案のフックH*のように紐を掛ける部分はなく、一対の壁掛装置だけで課題の解決を試みています。本考案では先に紐を掛けて重量支持しますので、面接触の装着状態までの移動距離が少なく、傾斜面は装着状態で接触しないので段差があり、装着位置は感触でわかります。
【００１８】
パーティションやドアなど、上端面と前後面がある構造物を利用するフックはいろいろあります。一方を前記構造物上縁に掛け、他方に紐などを掛ける略Ｓ字形状のフックや、構造物の厚さ以上の水平面と前後に長短略鉛直面が対向してあり、長い方の下端がフックになっているドアフックや長押フックなど、調整機構を持たないフックがあります。固定手段がないので左右に動きやすく、掛ける高さと前後の掛け位置は調整できません。
前面側は略Ｊ字の上端を後ろ側へ曲げて端面に掛け、後面側は略Ｌ字形状を端面と後面に配し、上端面で重なり部分をスライドし、前後面を挟みつけてネジで固定できる機構のパーティションフックがあります。構造物の上縁部にしっかりと固定でき、上下左右には動きませんが、上縁で固定する作業が必要で、掛ける高さと前後の掛け位置は調整できません。
[特許文献６・特許文献７]は、上端面と前後面がある構造物の上縁に、掛止体と二つの前後脚片を被せ、前の脚片にフックまたは支持体を有し、前後脚片の一方または両方から調整具で前後面と密着させて、隙間をなくして固定する構造です。文献６の方は屈曲自在な脚片を押し付けて固定するので、密着圧に不安があります。どちらも前後で挟みつける固定作業が必要で、掛ける高さと前後の掛け位置は調整できません。
【００１９】
本考案の構造物端面に固定する装置D*には、フック構造や調整する機構はありません。構造物の前後面を挟みつける二つの略Ｌ字形状部品を、端面で一体化する条材FDが、装着位置の方に引っ張られる張力で前記Ｌ字部品を前後面に押しつけて固定するので、固定する機構も作業も必要ありません。装着位置で連結するフックHFを引っ張って位置決め固定すれば、張力が作用して、軽量な対象物でも地震や衝撃に対して外れ難くなります。
【００２０】
参照した特許文献
【特許文献１】実開平１−１５００７２：「鏡取付金具」
【特許文献２】実開平５−６８３８５：「壁面吊り下げ装置」
【特許文献３】特開２００３−２１０３０９：「壁等取付け部材」
【特許文献４】ドイツ特許公開ＤＥ３６３２８１９号：「Halterung,insbesondere Bilderhalterung」
【特許文献５】実登３１０７６１１：「傾斜面がある壁掛装置」実登３１１１１６３：「着脱容易な壁掛装置」
【特許文献６】登録実用新案３０１２２２２：「掛け吊り具」
【特許文献７】特開平８−１４０８２０：「支持装置」
【考案の開示】
【考案が解決しようとする課題】
【００２１】
壁掛装置は、対象物を装着面の希望位置に、背面に隙間をあけずに装着し、前後左右に傾かない装着状態を地震や衝撃でも保持し、装着位置に構造材がなくても絶対に落下させてはいけません。一方で目立たず、壁掛装置を見ないでも着脱できるという矛盾した要求があり、従来の点接触や嵌め合い構造では解決できておらず、容易に着脱できて前後左右に傾かない装着状態を保持する壁掛装置が課題です。  
【００２２】
装着希望位置に構造材がない場合、壁内の構造材を音で探したり、構造材のある場所に装着したり、設置手段を工夫して耐荷重量を増すのではなく、構造材や構造物に連結条材の一端を固定して装着位置でフックを設置するために、前記条材に連結固定する手段と、装着面に位置決め固定する手段があり、対象物の背面と装着面との隙間を少なくするため突出量が少なく目立たないフックの構造と、壁掛装置の構成と設置方法が課題です。
【００２３】
従来より、フックを見ながら紐を掛ける作業は比較的容易でしたが、掛け外しに十分な空間が上方に必要、装着までは手で対象物の重量を支持しながら掛けなければならない、掛けたあと傾き調整が必要で、重量を支持した状態では微少移動が困難、など問題もありました。フックが見えない場合、まして対象物裏の狭い隙間で突出量が少なく、対象物の重量を手で支持しながらの掛け外しはとても困難でした。
また対象物背面の左右に固定した掛け紐の中央をフックに掛けた場合、[図１−５]のように紐は下方へ広がり、上方には抜け留めがないので、地震の上下動などで外れやすくなります。巻き付ければ外れ難くなりますが、傾き調整と着脱は困難になります。上方の空間が少なくても、狭い隙間や見えない場所でも、重量を支持しながら容易に紐を掛け外せ、傾き調整が不要な壁掛装置の構成と、フック構造と、紐を掛ける方法が課題です。
【００２４】
対象物の背面上部にある穴や切欠きなどの下端面を掛けて装着する場合、見えない場所のフックや釘に穴や切欠きを合わせるのが困難です。点接触なので掛けたあと傾き調整が必要で、背面と装着面を面接触させて装着状態を保持しています。フックを見ないで容易に掛け外しができ、掛けただけで前後左右に傾かない装着状態が保持できる壁掛装置の、構成と要素部品の構造が課題です。
【００２５】
パーティションやドアなど、前後面がある構造物の端面部で支持する場合、高い場所でネジなどの機構で締め付けなくても、端面部に被せるだけで複数の面を接触させ、面接触による摩擦力で動かないよう端部に連結部品の一端を固定できる固定装置と、希望の位置で容易に着脱できて、前後左右に傾かない装着状態を保持できる、壁掛装置の要素部品と固定装置の構造が課題です。
【００２６】
装着面にフックを固定できない場合は、上方で固定して連結した対象物が宙吊り状態になり、重量は支持できても傾きなど装着状態は保持できません。装着位置にフックが固定できなくても、対象物を容易に着脱できて、前後左右に傾かない装着状態を保持できる、壁掛装置の構成と装着方法が課題です。
【００２７】
外箱に入った対象物を一時的に装着面に掛けたい場合、外箱に傷を付けないで対象物に装着部品を取り付ける手段がありません。対象物や外箱に傷をつけないで、フックに容易に着脱でき、前後左右に傾かない装着状態を保持できる壁掛装置の要素部品を固定できる固定装置の構造が課題です。
【課題を解決するための手段】
【００２８】
構造材や構造物に一端を固定した連結条材FHにフックHFを固定する壁掛装置の構成は、構造材がない希望位置でも対象物を装着でき、突出量が少ないフックH*は、対象物背面の隙間を少なくし、中央を輪にした掛け紐FOは、上端面があるフックH*に容易に掛け外せて左右に傾かず、重力や条材の張力を利用して複数箇所の面接触で支持・保持する壁掛装置の構成は、容易に着脱できて前後左右に傾かない装着状態を保持します。
特に前方に傾かない装着状態を保持する課題に対して、一対の壁掛装置、一回の掛ける動作で解決するのではなく、離れた場所での面接触や固定を別工程で行い、容易な着脱と傾かない装着状態の保持を両立させます。従来の壁掛装置と違い、複数箇所を面接触させて支持・保持・固定をし、要素部品や装置は組み合わせ方で異なる機能をし、従来技術の長所や部品も利用して、状況と希望に応じて最適な組み合わせで課題を解決します。
【００２９】
本考案の壁掛装置は必ず構造材や構造物で重量を支持します。フックの材料や接合部の強度が十分であれば、設置手段で壁掛装置の耐荷重量が決まります。装着位置が柱や桟など構造材の場合や、薄壁や脆い壁面でも装着位置の壁内に構造材があり十分な強度が得られる場合はネジ釘等で、コンクリート壁の場合は設置位置に穴をあけて専用プラグを打ち込み木ネジ等で、金属の面ならタップを立ててビスで、フックHSを設置します。
装着希望位置に構造材がない場合や穴をあけたくない場合は、フックの設置手段部Fxに上下の穴または溝と位置決め固定する手段とがある、突出量が少ない構造のフックHFを、一端を上方の構造材や構造物に固定した、変形自在で細長い線や帯状の連結条材FHに連結固定して、装着面に位置決め固定して、希望位置にフックHFを設置します。前記位置決め固定は、ぶらぶらしないあるいは前方へ傾かせないための固定で、重量は支持しません。
【００３０】
前記連結固定は、フックHFの設置手段部Fxにある上下の穴または溝に連結条材FHを入れて固定します。固定手段は、前記FHの断面積より狭い部分溝や蛇行させた溝に入れたり、前記FHを部分的に太くして溝に入れ、ビスで締め付けて固定する、また前記Fxの上下の穴や溝を通した下端位置で、前記FHで結び目を作るとか、前記Fxの穴や溝より太い抜け留め部品を前記FHの外周に固定する、などさまざまな手段があります。
【００３１】
フックH*の符号＊は、同じ構造でも設置手段の違いを示します。設置手段部Fxと略四角形状のツバ状板Fgとがある基本構造をフックH*として、連結条材FHに連結固定したフックHF、木ネジなどネジで構造材に設置したフックHS、鞍状部品DDや構成D*の前面に固定して端部に被せるフックHD、細ピンで位置決め固定したフックHP、取付板Fxに接着剤が付いたフックHG、取付板Fxに吸盤があるフックHU、取付板FxにマグネットがあるフックHMなど。
【００３２】
対象物背面の壁掛装置だけでは、重量が十分支持できないか、前後左右に傾かない装着ができない、また着脱が困難な場合は、外部に構成要素を配置して課題を解決させます。透明な材料や、装着面や対象物の外枠と同じ色にすれば、外から見えても目立ちません。ナイロンの釣糸は、紫外線で強度が半減することに注意します。構造材へ強固に設置した木ネジなどの手段を外すと傷痕が残りますが、目立たなくする補修材があります。
【００３３】
請求項１は、掛け紐FOと、抜け留め面h1が左右にあるフックH*[図１−１]の構成の壁掛装置です。前記H*は、上端に掛け紐を掛ける面h0がある中央の設置手段部Fxで、左右位置にあるツバ状板Fgの前記Fx側の面h1を装着面と間隔をあけて対向させて設置して抜け留め保持するフックで、前記面h0の手前上方には抜け留め面が実質的にない構造です。実質的にないとは、あっても左右に前記面h1がなければ抜け留め機能には不十分な存在です。
前記対向面h1の上端には、従来のフックにはない略水平な面h2があります。フックH*は、前記Fx部でさまざまな最適な設置手段に対応でき、前記面h0で重量支持、前記面h1で抜け留め・位置決め、前記面h2では重量支持と左右の水平と高さ位置の保持と、接触して機能する複数の面があり、状況と希望に応じて最適に組み合わせる壁掛装置の主要構成要素として、同じフックを単機能でも複合機能でも使えます。
フックH*は、対象物に端を固定した、変形自在で細長い線や帯状の掛け紐FOを前記面h0に掛けて重量を支持し、前記左右の対向面h1で抜け留め保持しています。従来のフックのように上方からではなく横から掛け外しができますので、前記水平面h2で対象物の重量を支持しながら、突出量が少なくても容易に掛け外しができます。請求項１のフックH*と紐FOの壁掛装置の構成は、掛け外ししやすく、上下の振動に対して外れ難い構造です。
【００３４】
紐掛け作業で、狭い隙間や見えない場所でも容易に掛け外しができ、傾き調整を不要にするには、[図１−４]のように掛け紐の中央に輪を作るのが有効です。前記輪の空間は、水平面と直角になるため、上方に抜け留めがある従来のフックより、左右に抜け留め面がある本考案のフックH*の方が容易に掛け外せます。さらに前面が略四角形状で上端面h2があり、重量を支持しながら、上方の空間が少なくても、手探りでも掛けられます。
掛け方は[図１−４]で、掛け紐FOの中央部にある前記H*の前面外周の長さ程度の輪を、前記ツバ状板Fgの左右どちらかの上端面h2に掛けて、前記h2で重量を支持しながら、前側の紐FOを右図二点鎖線のように他方の左右端から回し込んで、装着面との間隔部分にある取付手段部Fxの上端h0に掛けます。対象物背面と装着面との隙間が狭くても、重量を支持しながら手探りで掛けられ、上方に掛け紐FOの厚さが入る空間があれば掛けられます。
外すときは装着と逆の動作で、一方の手で対象物を支えて前記紐FOの輪を左右に緩め、[図１−４]の右二点鎖線の位置から紐FOを前面側に回し込んで、フックH*のツバ状板Fgの図では右側の上端面h2に掛けます。左右どちらかの前記h2で、紐FOを前後に掛けた状態になれば、対象物を持って容易に外せます。
【００３５】
フックH*に中央を輪にした紐FOを掛けても、左右は水平になりますが前方へ傾きます。前後の傾きもなくすには、対象物中央上枠に補助部品AMを取り付け[図３−１]、引っ張って位置を決める条材FPを前記AMに仮固定して前記H*に下から掛け、掛け紐FOを掛けたあと仮固定をゆるめて、フックH*の前面に当たり前後の傾きがなくなるまで、上方から前記FPを引っ張り直して、前記AMに再固定して傾かない装着状態を保持します。
外すときは、前記AMに固定した引っ張り条材FPの固定を緩めて、対象物上端と装着面とに作業隙間を作り、掛け紐FOを前記上端面h2に掛けた状態にして、対象物を持って外します。対象物上端の空間で作業はでき、背面の狭い隙間で装着面に固定したり外したりしていた従来の作業よりはるかに容易です。前記AMは対象物から外部に出ますが、透明な樹脂や外周と同じ色であれば、上端にあるので目立ちません。
【００３６】
請求項２は、装置部分を見なくても掛け外しの動作で容易に着脱できて、前後左右に傾かない装着状態を保持する壁掛装置で、装着位置に設置したフックH*と、対象物の重量を支持する掛け紐FOと、対象物の背面上部にある保持構造C*と、下部の間隔保持機能S*とで構成する壁掛装置です。従来の紐掛けだけでは前後に傾く装着を、掛ける動作でフックH*の左右面h1と構造C*の左右面c1を接触させて、前後の傾きをなくしています。
下部で装着面と接触する間隔保持機能S*は、部品でないかも知れません。対象物は背面で吊り下げている限り前方に傾き、後方へ出っ張っている部分が装着面と接触します。間隔保持機能が間にあれば前記部品が、他の機能部品が出っ張っていれば機能を兼用して前記部品が、何もなく平らであれば背面の下端が装着面と接触します。前記S*は、上部で設計した隙間寸法の厚さで、上下の隙間を均一にする機能の、部品または部分です。
前記構造C*は、対象物背面や背面内部に取り付けられるか形成されてあり、フックH*と面接触して抜け留めと位置決め保持をする機能です。前記C*の構造[図２−１]は、前記H*のツバ状板Fgと設置手段部Fxが上下に通過できる大きさの空間Crが中央にあり、前記Crの前面に前記面h1と接触する対向面c1と、前記c1の下端から装着面の方向と左右方向に下降する傾斜面c0と、がある板Fgが左右に離れてあります。
図は部品なので、前記空間Crの左右端に略垂直な面c3と、前記c3下端から左右に下降する傾斜面Slと、取付手段の皿穴c4がある取付手段部Fxがあり、左右の前記FgとFxをベース板Bsで一体化しています。前記Fx下端にある傾斜面Slと、前記H*の上辺角の面取部分Prとを装着のときに接触させれば、重力が前記H*のツバ状板FgをC*の空間Cr内へ案内し、前記面h1と面c1が接触して抜け留めと位置決め保持の機能をします。
【００３７】
構造C*とフックH*との寸法関係は、左右に離れた前記面c1の外側間は前記H*のツバ板Fgの左右幅より広く、前記c1の内側間は前記H*の取付手段部Fxの左右幅より広くて、前記面c1とh1を接触させた状態で自由に上下に動かせます。前記面c1の下端から下降する傾斜面c0は、装着面方向は装着のときフックH*の対向面h1の奥の空間に面c1を容易に挿入させ、左右方向は前記Fxにある傾斜面とPrの接触を優先して紐FOと接触させない逃げです。
前記面c1の奥の空間Crの前後の間隔内に、フックH*のツバ状板Fgが入り、装着面と前記H*の対向面h1との間隔内に、前記C*の板Fgが入り、前記面c1と面h1を接触させた装着状態で、対象物下端の背面に指が入る程度の隙間(２cm以上)ができるように、それぞれの間隔と板Fgの厚さが設定されており、着脱のときに対象物の下方を両手で持って、容易に掛け外しすることができます。
【００３８】
保持構造C*の＊は取り付けまたは加工手段を示します。C*はフックH*が上下に通過する空間Crと、対向面と傾斜面がある板Fgが左右にある保持構造。CDは対象物の上縁に被せるDDの前面に固定した構造C*がある保持部品。CIは対象物の内部に取り付けたか成形された構造C*がある保持構造。CMは対象物の裏蓋に構造C*を加工するか一体成形されている保持構造。CSは対象物背面に構造C*を取付部分Fxでネジ釘で固定する保持構造部品、など。
【００３９】
装着は、先ず中央に輪がある掛け紐FOをフックH*に掛けて重量を支持し、次に対象物の左右下端を持って前記H*に掛ける動作で、前記H*の上端角の面取り部分Prの一方を、構造C*のFx部下端にある傾斜面Slの左右幅内で接触させます。前記Prは前記傾斜面に沿って、フックH*のツバ状板Fgを略垂直な面c3間へ案内し、対象物は掛け紐FOが弛まない高さ位置で支持され、フックH*や構造C*を見なくても、重力を利用して容易に装着できます。
外すときは、装着状態でも対象物を傾けて下端を手で持つことができますので、前記C*の高さ分まっすぐ上方に持ち上げれば、容易に外れて紐掛け状態になりますし、重い場合は前記Prを再び前記Fx下端の傾斜面SLに接触させて、重量を支持させながら斜めに持ち上げて外して紐掛け状態に戻し、掛け紐FOを持って容易に外すこともできます。作業工程は増えますが、着脱動作は容易です。
上記壁掛装置の重量を支持する手段が、本考案の掛け紐FOではなく、条材FHで対象物を直接吊るす、対象物の下端面を横木や額受等で受ける場合は、対象物は装着位置にあり、重量も支持された状態ですので、前記構造C*を掛ける動作で前後の傾きをなくせば良く、着脱は容易で前後左右に傾きません。前記の場合でも、掛け紐FOを併用すれば移動距離が短くなり、掛け紐FOがない場合より着脱は容易になります。
【００４０】
従来の掛け紐は、対象物背面の上下の重心位置より上方で固定されています。フックが対象物裏側の見えない位置では、紐の固定場所とフックの距離を短くするほど隙間が狭くなり、掛け外しは困難でした。対象物の下方で掛け紐を固定すると、作業空間を広くできます。[図３−４]のように、対象物の天地と裏表を逆にしてフックHSに掛け、次に矢印のように天地と裏表を正規に戻して、構造C*を掛ける動作で容易に装着できます。
対象物の天地を逆にして掛ける作業に抵抗があったり、掛けた後正規に戻す作業が困難な場合は、対象物の重心位置を跨いで上下位置に固定した補助部品SFに二本の紐FOを固定して、[図４−２]のように対象物上端に作業空間を作り、装着位置のフックH*に紐FOを容易に掛け外しできます。下方の掛け紐で重量を支持し、対象物下端を持って構造C*を掛ける動作でフックH*と面接触させ装着します。上方の掛け紐は装着状態では弛みます。
【００４１】
容易に着脱できて前後に傾かない装着状態の保持、という課題を解決する手段の原理を説明します。対象物背面の上部に端を固定した紐を装着面に設置したフックに掛けると、対象物下辺が装着面と接触し、前記下辺を支点にして対象物の重心が装着面から離れようとする回転モーメントが発生し、前記紐の固定位置が下方になるほど上辺に大きい隙間ができて、[図３−１]のように手前下方へ傾きます。
従来は紐の固定位置近くで装着面に紐を固定して隙間を少なくしていましたが、狭い隙間での作業は困難でした。また嵌め合い構造の壁掛装置は前記下辺を接触させず、装置部分だけで前記離れる力を受けて前後左右に傾かない状態を保持をさせようとし、特に前後の位置合わせは対象物を装着面に接近させるほど指も入らず困難で、一箇所での支持・保持は支点との距離が短くて力が集中し、衝撃に弱く、壁掛装置の材料強度も重要でした。
【００４２】
本考案は、対象物下方に上辺隙間と同じ厚さの間隔保持機能S*を配置して装着面と接触させ、上記上辺が装着面から離れようとする力を利用して、装着面に設置したフックH*の対向面h1と対象物背面の上部にある構造C*の対向面c1とが接触した上辺の隙間を、前記S*の厚さと同じにし、上下の面接触で均一な隙間を保持します。また、離れた二箇所の広い面積の接触で上記の力を受けますので、集中して局部的な力にならず状態を保持します。
間隔保持機能S*の厚さは、前記H*の対向面h1と、前記C*の対向面c1が面接触した状態で、装着面と対象物背面との間隔に等しく設定されます。前記面h1と面c1が上方で、前記S*と装着面が下方で面接触して上下の隙間間隔が等しくなり、前方への傾きがなくなります。
間隔保持機能S*を設置する手段は、対象物背面または装着面に貼り付ける、紐でフックH*に掛け吊り下げる、対象物背面に形成する、などいろいろありますが、掛け紐FOを固定する補助部品SFの高さを前記隙間間隔にして、[図４−２]のSF1*のように対象物の上下の重心位置より下方の左右両側の枠に配置して、前記SFで間隔を保持する手段も有効です。
【００４３】
請求項３は、掛け外しの動作で容易に着脱できて、前後左右に傾かない装着状態を保持する壁掛装置で、装着位置に設置したフックH*と、掛け紐FOと、対象物の背面上部にある保持構造C*Spと、下部で装着面と接触する間隔保持機能と、を構成要素に含む壁掛装置です。前記C*Spは前記保持構造C*の要素部分に加えて下端面c2があり、前記H*の水平上端面h2と左右位置で接触して、重量支持と左右の水平と高さ位置も保持する機能があります。
掛け紐FOは、前記c2とh2が接触した状態では弛む長さに設定され、先にフックH*に掛けて、装着のときの移動距離を短くして着脱を容易にし、前記C*Spが外れても対象物を落下させません。前後にも傾かない装着状態を保持するため、下方に間隔保持機能S*を組み合わせますが、対象物背面と装着面を面接触させて隙間をなくす構造も可能です。この場合でも、対象物の下方を持って容易に着脱することができます。
【００４４】
フックH*と構造C*Spの組み合わせは、対象物の重量に対して上辺枠に十分な強度がある場合に限定されるべきです。上辺の中央一ヶ所で対象物の重量を支持しますので、強度が不十分な場合には、上辺枠が盛り上がったり破損する可能性があります。対象物の重量や枠の強度に応じて、接続部を補強するか、左右枠に両端を固定した紐FOで重量を支持するなど対策します。重量３kgの色紙額の樹脂製の上枠中央が、装着翌日盛り上がりました。
【００４５】
請求項３は、請求項２に記載の保持構造C*の要素部分である、空間Crと対向面c1と前後左右の傾斜面c0に加えて、フックH*の水平上端面h2と左右位置で接触して重量支持される下端面c2がある板Spが上端部にある構造C*Spと、装着位置に設置した請求項１のフックH*と、で構成する壁掛装置で、[図２−２]に手前の対象物を透過した図で、条材FHに連結したフックHFと、前記C*Spの構成例を示します。
前記C*Spの基本構造は、前記HFのツバ状板Fgと設置手段部Fxが入る大きさの空間Crが中央にあり、前記Crの前面に前記面h1と接触する対向面c1と、前記c1の下端から装着面の方向と左右方向に下降する傾斜面c0とがある板Fgが左右に離れてあり、前記HFのツバ状板Fgの上端面h2と接触する下端面c2がある板Spが上部にあります。前記C*SPの下端面c2とフックHFの上端面h2を接触させれば、重量支持と左右の水平と高さ位置の保持をします。
図は部品なので、略垂直な面c3と、下端から左右に下降する傾斜面Slと、取付穴c4と、がある取付手段部Fxが左右にあり、左右の板Fgを一体化するベースの板Bsもあり、各機能は前記構造C*で説明しました。前記C*Spの取付手段部Fxがなければ、前記Fgの左右傾斜面が前記HFの設置手段部Fxの面取り部分と接触して、着脱を容易にします。また、対象物内部に組み込んだり成形することもでき、装着面との隙間を２mm以下にすることも可能です。
【００４６】
請求項４は引っ張り条材FPで、前後左右に傾かない装着状態と位置を保持する壁掛装置です。装着面の方へ引っ張って固定する、変形自在で細長い線や帯状の条材FPの一端を、対象物の上端部に仮固定しておきます。固定手段としては、上辺端面の中央部に補助部品AM[図１−３]や、上端角部に木ネジで取り付ける補助部品AS[図５−３]や、連結条材FCで固定する補助部品CN[図６−３]や、ピンやリングなどの補助部品を取り付けます。
また、対象物の上端部分に前記FPを固定する穴や溝を加工して、直接前記FPの一端を固定する手段もあります。てこの原理による前後の傾き調整には装着面と接触する支点が必要で、前記固定手段部と離れた下方に、間隔保持機能S*または最大の突出部分を設けます。前記一端を固定された条材FPを装着面の方向へ引っ張ったり緩めたりすれば、下方の接触部分を支点として上方の隙間が変化し、前後の傾きが調整できます。
【００４７】
前記条材FPを仮固定した状態で、掛け紐FOをフックH*に掛けて対象物の重量を支持します。上方に従来のフックを設置して宙吊り状態で吊るしたり、展示会場のように、対象物の背面でワイヤーに連結固定した宙吊り状態のフックに紐を掛けても同じ状態です。重量を支持した状態で、装着面近傍の位置で前記FPの他端を固定します。近傍とは前記FP一端を固定した位置よりできるだけ装着面よりですが、５mm以下を目安にします。
前記FPの他端を固定する手段がある部品や装置は、構造物の端面が装着位置近くにあれば固定装置D*で他端を固定して[図５−３]、ピン刺しなど位置決め固定ができる近くの場所に固定したフックH*に掛けて[図５−４]、また装着位置近くで位置決め固定した、または常設してある部品や装置などです。対象物に一端を仮固定した状態の前記FPの他端を固定したあと、仮固定を緩め、引っ張って傾きをなくして再固定します。
【００４８】
前記FPの他端を、装着面の近傍で前記連結条材FHの上方固定点に固定すれば、FPとFHの三本吊りになります。前記FPは対象物を装着面方向へ引っ張る力が必要なので、位置決め固定ができる対象物の近くか、パーティションやドアなどであれば補助部品DDや固定装置D*で近くの側端面に固定できます。前記FPは位置の保持も兼ねますので、他端の固定場所は、対象物にできるだけ近く、異なった二箇所が望ましい場所です。
【００４９】
装着位置で重量を支持する強度が得られない場合や、傷をつけたくない場合は、上方の構造材や構造物に一端を固定した連結条材FHに、装着位置でフックHFを連結固定して重量を支持します。上方で前記FHを固定する手段は、桟や柱などの構造材に固定した木ネジやフックに掛ける、前記レールを設置するなど従来の技術もありますが、本考案では、角棒BBや前後面がある構造物の上縁に固定装置D*で固定する手段があります。
【００５０】
請求項５は、ドアやパーティションなど前後面がある構造物の端面部に鞍形状の前後脚を被せて、変形自在で細長い線や帯状の連結条材FHやFPの一端を固定する装置D*で、前記装置の固定手段がネジなどの調整機構ではなくて、前記連結条材の張力で端面や前後面に押しつけて固定する構造が特長で、[図５]に組み立て構造および実装例を示します。前記条材FHやFPの装置D*にある部分は、条材FDとして説明します。
前記固定装置D*は、略Ｌ字形状の前脚DFと後脚DRと前記条材FDとで構成され、前記DFとDRの前後面の中央上端には前記FDが入る穴または下端までの溝があり、前脚DFの端面部は中央が切り欠かれて、左右面が構造物端面と接触してのびて後端部分は後脚DRの端面部と重なり、後脚DRの端面部は前記FDの一端を固定する手段があり、前記FDをそのままか別の条材を直結して伸ばして、装着位置のフックHFや補助部品等に連結固定して支持します。
前記条材FDの一端を後脚DRの穴または溝を通して上端の固定手段部に固定して、前脚DFの上部から前記DFの穴または溝に入り、連結条材として装着位置のフックや補助部品等に連結固定しますので張力がかかり、前記張力で後脚DRを構造物の後面へ、前脚DFを構造物の前面と端面へ押しつけて、面接触による摩擦力で前後面がある構造物の端部に固定しています。本考案の固定装置D*は、構造物に傷跡や接着剤をつけないで固定できます。  
【００５１】
前記固定装置D*の組立実施例を[図５−１]に示します。前後脚が略Ｌ字形状で端面部分で図のように一部重なり、前記FHとなる条材FDは図に矢印で示す方向に、端面の穴を起点に後脚DRの後端から溝を通して一周して固定手段部に固定され、前脚DFの上部から前記DFの穴または溝に入り、連結条材FHとして装着位置のフックHFの方へ引っ張られます。張力で前後脚DFとDRの間隔は縮み、左図の実装状態側面図のように上端部に固定されます。
[図６−１]は、連結条材FHの端末に、後脚DRの後面中央溝幅より太いスリーブをカシメて抜け留めにして前記溝に引っ掛け、上端の穴から上方へ出て、前脚DFの上部から前記DFの穴または溝に入り、装着位置で連結固定するフックHFの方へ引っ張って固定する構造の固定装置D*です。鋭角に曲げ難い金属線のワイヤーなど、細くて高強度の連結条材の場合の実施例です。
前後脚が分離していますので、前記FDの張力で後脚DRが端面の方へせり上がらないように押さえる手段が必要です。[図５−２・３]でみられる後脚DRの折り曲げ部の下側左右に切欠きがあり、前脚DFの端面側板の後方部分を差し込み重ねます。[図５−１]左図は実装状態で、前記FDの張力は前脚DFを装着面と端面に押しつけるよう働き、前記切欠きに入った後方部分は、FDの張力がある限り外れず、後脚DRはせり上がりません。
【００５２】
請求項５に記載の固定装置D*と、連結条材FHとフックHFと掛け紐FOとを構成要素に含む壁掛装置は、装着手順として、連結条材FHの一端を固定した装置D*を前後面がある構造物に被せ、前記FHに装着位置でフックHFを連結固定し、先に対象物に端を固定した掛け紐FOをフックHFに掛けて、装着面に位置決め固定をした方が、条材FHにかかる張力やフックHFの固定手段部にかかる荷重が自然になります。
本考案の固定装置D*の構成要素は、対象物や装着場所の条件に合わせて、材質や厚さや寸法で作成しやすい簡単な構造です。調整機構がなくて構造物の端部に被せるだけで固定できます。動く構造物であるドアに軽量な対象物を掛けて位置決め固定ができない場合でも、側端面の固定装置D*で位置を決めればドアの開閉でもぶらぶらせず、希望位置で容易に着脱できて前後左右に傾かない装着状態が保持できます。
【００５３】
請求項６は、吊り下げ用レールのような大掛かりな機構で、装着面から離れた位置から吊り下げる装置を上方に設置するのではなく、[図６−１]のように水平上端面がある角棒BBを、前後面がある構造物として装着面と５mm以下の間隔で構造材に木ネジで常設して、前記連結条材FHや引っ張り条材FPの一端を、固定装置D*で固定して重量支持や位置決めをする固定装置です。前記５mmは目安ですが、できるだけ装着面に近い必要な間隔です。
前記BBは、後面がない桟や後面はあっても下方に抜けていない長押とは違い、装着面側が取付手段部分以外は上下に抜けているので、前記BB自体の装着面からの突出量（厚さ）があっても、装着面に前記条材を沿わせて垂らして、装着位置で連結固定することができます。パ−ティションやドアでなくても、前後面がある構造物として、固定装置D*やDDが活用できます。
【００５４】
請求項７は、外箱に入ったままの対象物や鏡など、穴をあけたり傷をつけたりできない対象物に、変形自在で細長い線や帯状の連結条材FCと補助部品CNを構成要素に含み、壁掛装置の構成要素を取り付ける固定装置です。対象物角の直角な二端面に前記CNが接触し、前面の一部に前記FCかまたはCNが接触して、背面に沿って前記二端面を押しつける方向に前記FCを引っ張り、張力で対象物の厚みを前後に挟みつけて固定します。
[図６−２・３]に前記CNを四隅に配置し、掛け紐FOを下方のCNに、引っ張り条材FPを上方のCNに取り付けた実施例を示します。対象物の角部に配置した補助部品CNは、前面の一部と直角な端面に面接触して、対象物の背面の位置に連結固定する手段として切欠きがある構造です。連結条材FCで対角位置の前記切欠きを張力をかけて連結して、直角な二端面に前記CNを押し付けて、対象物に掛け紐FOと引っ張り条材FPを固定しています。
【００５５】
[図６−２・３]を見ながら壁掛装置の構成要素を取り付ける手順を説明します。前面を下にして置かれた対象物の下端左右角に、補助部品CN1*を配置します。掛け紐FOは、上辺中央部に長さを決める治具を被せて紐FOの輪を掛け、前記FOの両端を前記CN1*切欠き部に固定して治具を外します。次に釣糸FPを前面側に仮固定した、補助部品CN2*を上辺左右に配置し、前記FCで図のように対角方向に張力をかけて、対象物に前記CNを固定します。
装着は前記FOの輪をフックHFに掛けて重量を支持します。近くの常設してあるフックHSに仮固定した透明な釣糸FPを掛けて前記CN部の仮固定を緩め、引っ張って装着面と四隅のCN後端を接触させて背面の隙間を均一にし、対象物上辺のCN2*の前面部分に再固定して、前後左右に傾かない装着状態を保持します。外すときは、前記FPを緩めて紐掛け状態にして、容易に外すことができます。
【考案の効果】
【００５６】
本考案の壁掛装置は、装着位置に構造材がなければ、上方の構造材や構造物に連結固定して重量を支持しますので、薄壁や脆い壁面に、また接着や吸着などの従来の手段で装着面に位置決め固定しても、環境条件や経時変化で耐荷重量が減少する従来の不安がなく、位置決め固定が仮に外れても落下しません。また、壁内の構造材のある位置を音で捜して対象物を装着する必要もなく、希望位置に対象物を装着してかつ安全は確保できます。
【００５７】
本考案のフックH*は、組み合わせる相手により、紐掛けにも、下端面掛けにも、間隔の保持にも、前後の位置決めとしても、単機能でも複合機能でも使えます。従来のフックのような装着面からの突き出しもなく、上方の空間も少なくて掛けられ、薄く小さく目立たない構造です。対象物により壁掛装置構成の仕様が変わっても、同じフックH*が利用できますので、装着物がなくても、壁面内部の構造材の位置にフックHSを常設しておけます。
また前記フックH*には複数本の紐や条材や下端面を掛けられ、間隔保持部品SHや、表示タグを吊り下げたり、インテリア部品を掛けたり、地震の倒れ防止に条材の一端を掛けて連結したりと、少ない突出量で複数の支持ができます。保持構造C*Psの下端面c2と対象物の背面に固定した紐FOと、両方を上端面h2とh0に掛けることもできますので、地震などで一方が外れても、他方が外れなければ落下事故にならない構成も可能です。
【００５８】
従来のフックは、[図１−５]のように設置部と紐を掛ける重量支持部とが離れていますが、本考案のフックHSの構造は、[図１−４]のように、取付手段の木ネジの胴体部に直接紐を掛ける構造です。したがって強度が心配な接合や固着部分がなく、材料や接合部分に必要以上の強度は要求されません。仮にフックHSの材料が破損しても、掛け紐FOは木ネジに引っかかり落下しませんので、多少脆くても環境に優しい材料が使えます。
設置手段部Fxに上下の穴または溝と位置決め固定の手段があるフックHFは、連結条材FHに連結固定して装着位置に設置できます。仮に位置決め固定が外れても、対象物は宙吊りになるだけで落下しません。上下に連結できる前記フックHFは、従来のフックでは困難であった、中心を一致させて上下に並べて対象物を展示することもできます。
【００５９】
対象物背面に両端を固定した掛け紐FOの中央に輪を作り、本考案の前面が略四角形状で突出量が少ない構造のフックH*に掛けますので、前記H*の上端面h2で重量を支持しながら容易に掛け外しができて、対象物背面の隙間は少なくできます。前記輪で左右の中央位置が決まりますので、傾き調整も必要なくなります。対象物裏の狭い隙間や見えない場所であっても、手探りで掛け外しができ、地震の上下動でも外れ難くなります。
【００６０】
装着面に設置したフックH*と、対象物背面上部にある構造C*と、重量支持手段とで構成する壁掛装置は、嵌め合い構造ではなく、それぞれの間隔内に相手の対向面がある板Fgを入れた装着状態で、対象物下端の背面に指が入る隙間ができます。対象物背面と装着面が接触していて隙間がないように見えても、対象物の下端を両手で持って、容易に掛け外しすることができます。
【００６１】
装着手順は、見える状態のフックH*に中央に輪がある掛け紐FOを先に掛けて重量支持と左右に傾かない状態にし、次に対象物を持って構造C*を掛ける動作で、前記C*の傾斜面Slに前記H*の面取部分Prを接触させ、重力で装着位置へ案内されて前後の傾きをなくし装着状態を保持しますので、足元から対象物を持ち上げて装着する従来の動作に比べて、移動距離が短く、装置を見なくても容易に装着できます。
外すときは、前記対向面c1の高さ分まっすぐ上方に持ち上げれば、容易に外れて紐掛け状態になりますし、重い場合は略垂直面c3の高さ分傾けて持ち上げて傾斜面に沿って重量を支持しながら斜めに持ち上げて外して紐掛け状態に戻し、掛け紐FOを持って容易に外すことができます。
【００６２】
従来の対象物裏の狭い隙間でフックに紐を掛け、さらに装着面に紐を固定している困難な作業を、本考案は、設置したフックH*を見ながら広い空間で紐FOと間隔保持部品SHを掛け、対象物の下端を持って背面上端にある保持構造C*を掛ける動作で前後左右に傾かない保持をし、容易な着脱で傾かない装着を実現しています。着脱の工程は増えていますが、全て容易な動作です。また接触は面接触で、衝撃にも強く、装着状態を保持します。
装着面に位置決め固定ができないで連結条材に宙吊りの場合は、対象物に端を固定した引っ張り条材FPを出し、装着面方向へ引っ張った状態で近くの位置決め固定できる場所に固定して位置を決めて、前後左右の傾きをなくせます。動く構造物であるドアや、強風に対する補強などに利用すると、軽量の対象物でも位置を保持する効果があります。
【００６３】
本考案のフックH*と保持構造C*Spとの構成の壁掛装置は、従来の点接触と違い、さらに優れた効果があります。フックH*の水平上端面h2と構造C*Spの下端面c2とが面接触して、掛けただけで重量支持とともに左右の水平と高さ位置が保持され、傾き調整が不要です。前記H*の対向面h1と前記C*の対向面c1の接触も面接触で保持機能があり、嵌め合いと違い対象物背面と装着面が接触していても下方で指を入れることができ、着脱は容易です。
さらに掛け紐FOを併用することができ、先に紐FOをフックH*に掛け、次に対象物を持って構造C*Spを掛ける動作で傾斜面SlとフックH*の角部Prを接触させれば、掛ける動作の移動距離が短く、装置を見なくても容易に装着できます。外すときも一旦紐掛け状態で重量が支持されますので、容易です。また地震などで重量支持の端面部が外れても、紐FOが外れなければ落下事故は防げます。
【００６４】
条材FHに連結固定したフックHFを装着面に固定する手段がない場合、フックHFは宙吊り状態で対象物の状態保持は重心位置とのバランスだけですが、引っ張り条材FPを装着面の方へ引っ張った状態で固定して、対象物の容易な着脱と、前記FPの容易な固定で、傾きをなくした状態を保持しています。本構成の壁掛装置は装着位置の保持機能も兼ねており、地震や衝撃でも対象物を動き難くする効果があります。
【００６５】
前後面がある構造物の端面に被せるだけで固定する、調整機構が不要の固定装置D*は、固定装置の着脱が容易で、傷跡や粘着剤を残さずに固定できます。装着位置でフックHFを連結条材FHに張力をかけて位置決め固定すれば、希望の高さ位置で容易に着脱できて前後左右に傾かない装着状態を保持でき、地震などの振動・衝撃に対して対象物が軽量でも、外れにくくする効果があります。
装置D*の構成要素部品DF・DR・FDは、条件に合わせて材質や厚さや最適寸法で作成しやすい簡単な構造ですので、軽量の対象物なら、上部隙間の狭いドアや、引戸にも同じ構造で固定できます。またドアは動きますので、重量支持だけでなく側面にも固定して、左右方向の力に対して装着状態を保持させる場合にも有効です。
【００６６】
水平上端面と前後面がある角棒BBを、装着面に５mm以下の間隔で構造材に木ネジで常設しておけば、装着したいとき壁内の間柱を探したり、フックの設置手段をあれこれ考えないですみます。装着面と同じ色や透明な材料であれば目立ちませんし、十分な強度があれば、床に置いてある物を一時的に掛けたり、テレビやエアコンなど重量物を設置したり、耐震装置の構成要素としても利用できます。
【００６７】
対象物が鏡の場合や、商品を外箱に入れたまま前面だけ見せて一時的に掛けたい場合、対象物や外箱に穴をあけたり傷をつけたりせずに、補助部品CNと保持構造CD＊を条材FCで連結固定して本考案のフックH*に掛ければ、前後左右に傾かない装着が容易にできます。床や棚に置いてある置物も傷をつけずに容易に掛けられ、部屋の空間を有効に活用でき、物の破損や汚れを防ぐ効果もあります。
【考案を実施するための最良の形態】
【００６８】
展示会場で、細ピン(PN)は刺せるパーティション(Ｐtt)に、対象物背面の隙間を裏板を留めるトンボ(ST)の厚さ(２mm)に設定して、前後左右に傾かない装着状態を保持する構成の壁掛装置[図７]について説明します。主要構成要素は、固定装置D*と、連結条材FHと、フックHFと、支持・保持構造部品CSSpと、掛け紐FOと、前記紐FOを対象物内部で固定する手段とで、借りたＰttに細ピン以外の傷を付けずに、容易に着脱できます。
Ｐtt上縁に固定装置D*を被せて連結条材FHの一端を固定し、装着位置でフックHFを連結固定します。裏板を外し、上部中央を切欠きます。中央に輪を作った掛け紐FOの両端を、対象物内部の下辺左右に固定し、対象物内部の中央上枠に、支持・保持部品CSSpを木ネジで固定し、前記裏板をトンボで固定します。装着は前記FOの輪をフックHFに掛け、装着面にHFを位置決め固定し、掛ける動作で前記HFとCSSpを接触させて支持・保持します。
【００６９】
[図７]で固定装置D*の材質は目立ち難い透明な樹脂で、図は二つの略Ｌ字形状の前後脚を組み合わせた構造です。前脚DFは、幅３mmの溝が中央上下に貫通しています。端面側は中央部が連結条材を通すため切欠かれ、左右に構造物Ｐttの厚さより５〜１０mm長い板があり、後脚DR上端の折れ曲がり部左右にある切欠きに、後端部が差し込まれて浮きを防ぎます。後脚DRの中央上下にも幅３mmの溝が、折れ曲がり位置まであります。
図で前脚DFと後脚DRを一体化する条材FDは外径１mmのワイヤーで、前記FDの端末部に輪を作り、端面中央の穴を起点に、後脚DR上端を通り、折り曲げ部後端の溝から端面配置板の下を通って、前記FDの輪を通して固定した後上方に抜け、前脚DFの折り曲げ部上端から前面の溝に入った状態でＰttの上縁に被せ、そのまま連結条材FHとして下方へ引っ張って固定し、装着位置でフックHFに連結固定します。
張力で後脚DRはＰttの後面に、前脚DFは上端面に押し付けられて、[図７−１]左図の実装状態側面図のように上端部に固定され、連結条材FHにかかる重量を支持します。装着位置では、フックHFの固定手段部Fxにある上下の蛇行溝に前記FHを入れ、前面からビスで固定して、さらに溝の径より太い抜け留め部品をフックHFの下端面に当てて宙吊り状態にしています。
【００７０】
装着位置に設置するフックHFは、[図１−２]で幅３０mm、高さ２０mmの、前面が略四角形状の透明な樹脂で、ツバ状板Fgの厚さは２mm、対向面h1と装着面との間隔は４mmです。掛け紐FOは撚り紐で、中央部に周長１０cm程度の輪を作ってあり、裏板を外して、対象物上辺中央に被せた治具に前記輪を掛けて、前記HFとCSSpが接触した状態で弛む長さにし、対象物内部で下方の左右枠に木ネジで取り付けた補助部品に両端を固定しています。
対象物内部の上枠に取り付ける支持・保持構造CSSpも、フックHFと同じ透明な樹脂で、[図２−４]で幅６０mm、高さ２０mm、対向面c1の左右間は、外側が３１mm、内側が２０mmで、前記c1の下端から下方１０mmに亘って対象物から離れる方向に１mm、左右に１０mmの勾配の傾斜面c0があり、上端に重量支持される面c2があり、取付手段の皿穴があります。前記面c1やc0がある板の厚さは２mmで、面c0の奥に左右に下降する傾斜面Slがあります。
前後の寸法関係は、前記HFの面h1と装着面との間隔は４mmで、前記CSSpの面c1は対象物背面より２mm奥にあり、前記面h1と面c1が面接触した状態で、対象物背面と装着面の隙間は２mmです。またそれぞれの間隔内に入るそれぞれの板Fgの厚さは２mmで、装着状態でも対象物は約６°傾けられ、背面下端には４cm以上の隙間ができ、下端に指を入れて対象物を持ち、容易に着脱することができます。
【００７１】
対象物背面の裏板は、[図７−２・３]のように、上端から幅６０mm、高さ４０mmで四角い窓状に切欠かれ、窓の下辺から掛け紐FOが出て、フックHFの前面板Fgは、窓の中に入ります。裏板を留めるトンボSTは、上枠にあった分は外します。前記トンボがあると、面h1と面c1が接触した状態で前記トンボが装着面と接触し、[図３−２]のように対象物を傾けられません。
前記紐FOは、前記裏板の窓から出ているので、中央の輪を持った状態では窓の下辺に当たり、天地が逆になりません。掛け紐を固定するための補助部品があらかじめ付いていれば、対象物背面の隙間がトンボ(２mm)の厚さになりませんので、外しておきます。上枠の強度と対象物の重量によっては、外枠の補強をしておきます。
【００７２】
装着は、先に前記紐FOの輪をフックHFに掛けます。掛け紐中央の輪を持っても、裏板の切欠き部分に引っ掛かり、天地が逆さにはなりません。フックHFを装着面に細ピン(PN)で位置決め固定し、対象物の下端を持って[図３−２]のように傾けて、掛ける動作でフックHFの面取り部分Prと保持部品CSSpの傾斜面Slを接触させれば、重力に案内されて前記HFのツバ状板FgがCSSpの空間Crに入り、
面h1とc1、面h2とc2が接触して、重量支持と、前後左右に傾かない装着状態になり、保持されます。外すときは、対象物を持って持ち上げれば裏板の切欠き上端にあたり、容易に紐掛け状態になり掛け紐を外せます。紐FOは着脱を容易にし、前記CDSpが外れても対象物を落下させない効果があります。
【実施例１】
【００７３】
装着位置に設置したフックH*と、重量支持の掛け紐FOと、前記FOを固定する部品SFと、引っ張り条材FPと、前記FPを固定する部品AMとで構成し、容易に着脱できて、前後左右に傾かない装着状態を保持する壁掛装置[図３−１]について説明します。図は構造材Stに木ネジで設置したフックHSですが、他の設置手段のフックでも壁掛装置の構成要素と対象物を着脱する手順は同じですので、設置手段を特定しない符号のフックH*で説明します。
【００７４】
前記フックH*は、幅３０mm、高さ２０mmの、前面が略四角形状の透明な樹脂で、装着面から前面までの突出量は６mmです。掛け紐FOは撚り紐で、中央部に周長１０cm程度の輪を作ってあり、対象物上辺中央に被せた治具に前記輪を掛けて長さを決め、背面下方の左右枠に木ネジで取り付けた、透明な樹脂で前記フックの突出量と同じ厚さ６mmの補助部品SFに、両端を固定しています。
[図１−３]で対象物の上枠中央に木ネジで取り付けた、前記条材FPを固定する補助部品AMも同じ透明な樹脂です。前記AMは、幅５０mm、高さ１５mm、曲がり辺９mmの略Ｌ字形状で、対象物の上端から５mm突き出し、対象物背面と接触するフックH*のツバ板Fgの前面の左右に位置します。引っ張り条材FPは、上部に必要な隙間ができる長さ５０cm程度の釣糸で、対象物上端の前記AMに両端を仮固定した状態で装着作業をします。
【００７５】
装着は、[図３−４]のように対象物の天地と前後を逆にして広い場所で掛け紐FOの中央の輪をフックH*に掛けて、矢印のように天地を戻して、[図１−３]のように前記条材FPを前記H*に下から掛けて[図３−１]の状態にし、仮固定を外して上方で前記FPを引っ張り、前記フックH*の前面と対象物背面とが上方で、装着面と前記SFとが下方で接触して、前後の傾きがなくなった状態で再固定して、前後左右に傾かない装着状態を保持します。
外すときは逆の手順で、前記AMに固定した引っ張り条材FPの固定を緩めて、対象物上端に作業隙間を作った状態で仮固定して、フックH*から前記FPを外して[図３−４]の状態にし、掛け紐FOを外します。作業工程は増えますが困難な作業はなく、容易な着脱で、前後左右に傾かない装着状態を保持できる壁掛装置です。
【実施例２】
【００７６】
実施例１の条材FPを使わず、面接触で位置を決める保持構造C*と、装着位置に設置したフックH*と、重量支持の掛け紐FOと、前記FOを固定する部品SFと、下方の間隔保持機能S*とで構成し、対象物を持って掛け外す動作で着脱できて、前後左右に傾かない装着状態を保持する壁掛装置の基本構成を[図３−２]で、実施例を[図４]で説明します。図は構造C*を木ネジで取り付けた構造CSですが、取り付け手段を特定しない構造C*で説明します。
【００７７】
前記フックH*は前述の実施例１と同じ材質・同じ寸法で、ツバ状板Fgの厚さは２mmで、対向面h1と装着面との間隔は４mmです。下方で掛け紐FOを固定する補助部品SFは、厚さが上方でフックH*と構造C*が接触してできる隙間と同じ８mm以外は、実施例１と同じ材質・同じ寸法です。掛け紐FOも実施例１と同じで、対象物の左右下方の前記SFに、両端を固定してあります。
保持構造C*はフックH*と同じ透明樹脂で、[図２−１]で、幅６０mm、高さ２０mm、対向面c1の左右間は、外側が３１mm、内側が２０mmで、前記c1の下端から下方１０mmに亘って対象物から離れる方向に１mm、左右に１０mmの勾配の傾斜面c0があり、前記面c1やc0がある板Fgの厚さは２mmです。また取付手段部Fxには、取付手段の皿穴c4と、左右に下降する傾斜面Slがあり、さらに左右の部品を連結しているベース板Bsがあります。
前後の寸法関係は、前記H*の面h1と装着面との間隔、および前記C*の面c1と取付面との間隔は４mmで、前記h1とc1が面接触した状態で、対象物背面と装着面の隙間は８mmです。またそれぞれの間隔内に入るそれぞれの板Fgの厚さは２mmで、装着状態で対象物は約６°傾けられ、背面下端には４cm以上の隙間ができ、下端に指を入れて対象物を持ち、容易に着脱することができます。
【００７８】
[図４−１]は、装着位置に構造材がなく、対象物の中央からずれた位置に間柱Stがある場合で、従来は希望位置より前記Stの位置に対象物を装着していましたが、二つのフックHSを上方の前記Stに木ネジで固定し、連結条材FHと引っ張り条材FPで左右位置を決めて、希望の位置にフックHFを位置決め固定して、対象物を希望の位置で、前後左右に傾かない装着を実現する実施例です。フックHSで二種類の条材の固定方法を示しています。
右図は重量を支持するワイヤーの一端にスリーブをカシメて太くして、透明樹脂のフックHSの設置手段部Fxにある上下溝に連結条材FHを入れて固定しています。左図は透明樹脂のフックHSの設置手段部Fxに引っ張り条材の釣糸FPを掛けて、前記FHを左の方向へ引っ張って、装着希望位置の真上で固定し、装着位置でフックHFを細ピンで抜け留め固定して重量を支持しています。
【００７９】
前記H*とC*を構成要素に含む実施例[図４−２・３]は、対象物の重心を挟んで上下二本の掛け紐FOが、４個の補助部品SFに固定されています。前後の傾きをなくし、装着状態を保持する厚さ８mmの間隔保持部品SHが二点鎖線でフックHFに掛けられています。前記SHは装着面と面接触しますので、あれば摩擦力で装着状態を保持し、耐衝撃に強くなります。
[図４−２・３]で、着脱の手順を説明します。装着位置にフックH*を設置し、間隔保持部品SHに、装着状態で対象物の下方に配置される長さの掛け紐を付けて、フックH*に掛けます。対象物背面の上枠中央に保持構造部品CSを木ネジで固定し、左右枠の上下の重心を跨ぐ位置に、掛け紐FOを固定する４個の補助部品SFを木ネジで固定します。
掛け紐FO1*の長さは、中央を輪にした紐FO1*を前記構造CSの位置に仮設した治具に掛け、張力をかけた状態で紐FO1*の両端を前記SF1*に固定し、治具を外すと、輪の位置を中央にした掛け紐の長さが決まります。掛け紐FO2*の長さは、[図４−２]の上辺隙間を作るのが目的なので、中央に作る輪を大きめにすれば、前記上辺隙間は広くなります。隙間の量は前記輪の大きさで調整して、補助部品SF2*には左右に張った状態で固定します。
【００８０】
装着は、紐FO1*・FO2*の輪をフックH*に掛けて、[図４−２]の状態にし、対象物の左右下端を持ってフックH*に掛ける動作で、前記H*部分Prの一方を構造C*のFx部下端傾斜面の左右幅内で接触させますと、重力がフックH*のツバ板Fgを略垂直な面c3間へ案内します。対象物は掛け紐FOが弛まない高さ位置で支持され、フックH*や構造C*を見なくても、容易に前後左右に傾かない装着状態になります。
外すときは、装着状態でも対象物を傾けて下端を手で持つことができますので、前記C*の高さ(実施例では２０mm)以上まっすぐ上方に持ち上げれば、容易に外れて紐掛け状態になりますし、重い場合は前記Prを再び前記Fx下端の傾斜面と接触させて、重量を支持させながら斜めに持ち上げて外すこともでき、容易な着脱で、前後左右に傾かない装着状態を保持できます。
【実施例３】
【００８１】
実施例２の保持構造C*を、フックH*の上端面と接触して重量支持される板Spがある構造C*Spに替えて、さらに裏板を切欠いて対象物に内蔵した構造CSSpと、装着位置に設置したフックH*と、対象物内部で左右枠に端を固定した掛け紐FOと、間隔保持機能の裏板を固定するトンボSTとで構成し、対象物を持って掛け外す動作で容易に着脱できて、前後左右に傾かない装着状態を保持する壁掛装置[図３−３]について説明します。
【００８２】
フックH*は前述の実施例２と同じ材質・同じ寸法です。裏板を留めるトンボSTは額縁に使われている従来品で、厚さは２mmです。掛け紐FOも実施例２と同じですが、補助部品SFを外付けすると隙間になりますので、裏板内部の左右枠に両端を固定して、前記H*とCSSpが接触したとき弛む長さにします。裏板の中央上端部は[図２−４]のように、幅６０mm、高さ４０mm以上切欠かれており、切欠き部分から紐FOを出してフックH*に掛けます。
保持構造CSSpは、実施例２に記載の構造C*と同じ透明な樹脂で、[図２−４]で幅６０mm、高さ２０mm、左右間距離や傾斜面も同じで、上端に重量支持される板Spがあります。前記CSSpは、図のように対象物背面から突出しない位置に、取付手段部で上枠に木ネジで固定されます。前後の寸法も実施例２と同じですが、対象物に内蔵してあるので前記h1とc1が接触した装着状態で、装着面と対象物背面との隙間は、前記STの２mmに設定します。
【００８３】
[図３−３]に装着状態を示します。装着は、裏板の切欠きから出した紐FOの輪をフックH*に掛け、次に対象物の左右下端を持って、前記切欠きの左右幅の範囲で前記H*に掛ける動作で、前記H*の上端角の面取り部分Prの一方を、構造CSSpの傾斜面の左右幅内で接触させます。重力を利用して、前記傾斜面に沿って、前記h2とc2が接触する高さ位置まで案内されて支持され、掛け紐FOは弛み、容易に前後左右に傾かない装着ができます。
外すときは、背面の隙間が２mmしかなくても、[図３−２]の状態に傾けられますので、対象物下端に指を入れて両手で持ち、裏板の切欠きに当たるまでまっすぐ上方に持ち上げてさらに傾ければ、容易に外れて、[図３−１]のように対象物が傾いた紐掛け状態になります。前記状態では、上端に十分な隙間がありますので容易に掛け紐を外すことができ、容易な着脱で前後左右に傾かない装着状態を保持できます。
【実施例４】
【００８４】
装着位置に構造材がなくて細ピンが刺せる場合、前後面があるパーティション(Ｐtt)の上縁に固定装置D*を被せて連結条材FHの一端を固定し、装着位置で、フックHFを連結固定して重量を支持し、細ピン(PN)で位置決め固定して前記HFを設置する構成[図７−１・２]と、実施例２で説明した壁掛装置の構成[図４−２・３]を組み合わせて、掛け外す動作で着脱が容易にできて、前後左右に傾かない装着状態を保持できる壁掛装置を説明します。
前記壁掛装置は、前後面がある構造物の上縁で連結条材FHの一端を固定する固定装置D*と、前記FHと、前記FHに連結固定して装着面に細ピンPNで位置決め固定するフックHFと、対象物の上枠中央に取り付けた保持構造C*と、対象物背面で左右枠に取り付けた補助部品SFと、前記左右のSFに両端を固定した掛け紐FOと、間隔保持部品SHと、が構成要素です。前記FHで重量を支持し、実施例２の構成で前後左右に傾かない装着状態を保持します。
【００８５】
[図７−１]の固定装置D*の組み立て図や上・側面図が見られる[図５]で、前記D*の構造を説明します。前記D*は構造物の端面部にあって外から見えますので、材質は目立ち難い透明な樹脂とします。図は二つの略Ｌ字形状の前後脚を組み合わせた構造です。
前脚DFは、幅３mmの溝が中央上下に貫通しています。端面側は[図５−２]のように、中央に前記連結条材を通す穴があり、左右に構造物Ｐttの厚さより５〜１０mm長い板があり、後脚DR上端の折れ曲がり部左右にある切欠きに、後端部が差し込まれて浮きを防ぎます。後脚DRの中央上下にも幅３mmの溝が、折れ曲がり位置まであります。
【００８６】
[図５−１]で、前脚DFと後脚DRを一体化する条材FDは外径１mmのワイヤーで、そのまま連結条材FHとして装着位置のフックHFに連結固定されます。前記FDの端末部に輪を作り、組立図の矢印に沿って、端面中央穴を起点に、後脚DR上端を通り、折り曲げ部後端中央の溝から端面配置板の下を通って前記FDの輪を通して固定した後上方に抜け、前脚DFの折り曲げ部上端から前面の溝に入り、連結条材FHとして下方の装着位置の方へ引っ張ります。
張力で後脚DRはＰttの後面に、前脚DFは上端面に押し付けられて、[図７−１]左図の実装状態側面図のように上端部に固定され、連結条材FHにかかる重量を支持します。装着位置では、フックHFの固定手段部Fxにある上下の蛇行溝に前記FHを入れ、前面からビスで固定して、さらに溝の径より太い抜け留め部品をフックHFの下端面に当てて宙吊り状態にし、細ピン(PN)でフックHFを装着面に位置決め固定しています。
【００８７】
[図５]で、固定装置D*とフックHFが構成要素にある壁掛装置の設置方法を説明します。固定装置D*は、組立図のように前後脚の端面配置部で条材FDを曳き回した状態で、Ｐttの端面に被せます。後脚DRの左右切欠きに前脚DFの後端を差し込み、前記条材FDを装着位置の方へ引っ張ると、前後脚でＰtt前後面を挟みつけて一体化されます。前記FDを連結条材FHとして装着位置まで垂らし、フックHFに連結固定して、宙吊り状態にします。
[図４−２]で、前記宙吊り状態のフックHFに対象物に固定した掛け紐FOを掛けて、重量を支持した状態にして、細ピン(PN)でフックHFを装着面に位置決め固定して設置します。対象物を持って、構造C*を掛ける動作で装着する掛け外し手順は、実施例２で説明してあり、容易に着脱できて前後左右に傾かない装着状態を保持しています。
【実施例５】
【００８８】
装着位置にフックH*を固定できない場合、パーティション(Ｐtt)の端面部に固定装置D*を被せて条材FHやFPを固定して、重量支持は連結条材FHにフックHFを連結固定して左右枠の補助部品SFに両端を固定した紐FOを掛けて、装着面側と対象物の左右上端に取り付けた補助部品ASに引っ張り条材FPを仮固定して引っ張り、対象物を傾かない状態にして再固定し、前後左右に傾かない装着状態を保持する構成の壁掛装置[図５]について説明します。
【００８９】
[図５]で固定装置D*は、パーティション(Ｐtt)の上縁と側端面で使われています。上縁の固定装置D*と、連結条材FHと、前記FHに連結固定するフックHFと、前記FHに掛ける紐FOの材質と寸法と掛け外し手順は実施例４と全く同じです。補助部品SFは、厚さが６mmで、対象物の上下の重心位置で左右枠に取り付けています。フックHFは宙吊り状態ですので、前記構造C*や、実施例１の引っ張り条材FPを掛けても、対象物は前方に傾きます。
[図５−２・３]で、対象物の上部左右端に取り付けた補助部品ASは透明な樹脂で、背面と側面に接触させて背面から木ネジで固定しています。対象物より上方に５mm出ており、前後の重心位置より手前側にある切欠きに、透明な釣糸FPの端を仮固定します。装着面側の他端の固定は、左側の釣糸FP1Lは近くのＰttの側端面に固定装置D*で固定され、右側の釣糸FP1Rは近くの位置決め固定ができる場所で、細ピンで固定したフックHPに掛けます。
【００９０】
[図５−２・３]で、前後左右に傾かない装着手順を説明します。先ずフックHFに前記FOの中央の輪を掛けて、対象物の重量を支持して左右の傾きをなくしています。掛け紐FOを掛ける手順は前述しました。掛け紐FOは対象物の上下の重心位置に両端を固定しましたので、紐FOを持っても天地が逆にならずに掛けられ、補助部品SFの装着面との接触部を支点にして、前記FPを引っ張ったり緩めたりして前後の傾き調整ができます。
[図５−３]の左側では、固定装置D*を組立て状態にして適当な長さで切断した釣糸FP1Lを補助部品AS1Lに仮固定し、右側では、釣糸FP1Rの一端に掛け輪を作り、適当な長さで切断して補助部品AS1Rに仮固定してあります。固定装置D*は構造物側端面に被せて、前記掛け輪は装着面のフックHPに掛けて、それぞれの仮固定を外して引っ張り、傾きのない状態にして再固定します。外すときは引っ張り条材FPを外して、紐掛け状態にします。
【実施例６】
【００９１】
表面は薄板で、壁内に一定間隔で間柱(St)があり、天井直下にアルミの角棒材(BB)を、装着面と間隔をあけて間柱の位置ごとに木ネジで常設してあり、また前記BBの下方には、透明なフックHSを間柱の位置ごとに木ネジで常設してある装着面(Ｗal)に、傷をつけたくない対象物(Ｏbj)を、前後左右に傾かないよう装着できる壁掛装置の構成[図６]について説明します。装着面には細ピン(PN)を刺して、位置決め固定ができるものとします。
前記壁掛装置は、前記常設の角棒材BBに被せる固定装置D*と、前記D*に一端を固定した連結条材FHと、前記FHに連結固定するフックHFと、前記HFを位置決め固定するピンPNと、前記HFに掛ける紐FOと、前記常設フックHSに一端を固定する引っ張り条材FPと、前記FOとFPを対象物に固定する四隅に配置した補助部品CNと、前記CNを対象物背面で連結固定する条材FCとで構成します。
【００９２】
[図６−１]で角棒材BBは装着面と同じ色の横長棒で、装着面との隙間は４mmです。固定装置D*はＰtt上縁の場合は実施例４で説明していますが、前記BBに被せる場合は、前脚DFが奥の装着面側で後脚DRが前記BBの前面側になり、奥の装着面側から条材FHが垂れます。連結条材FHは、端末にスリーブをカシメて後脚DRの溝に引っ掛けて固定して、装着位置で透明樹脂のフックHFに連結固定して、前記HFは装着面にピンで位置決め固定しています。
【００９３】
補助部品CNは透明な樹脂で、[図６−２・３]のように前面側は角部を斜めによぎる面があり、直角な側面部は背面位置より後方にフックの厚さと同じ６mm突き出し、透明な釣糸FCで連結固定するための切欠きが、対象物の背面位置にあります。前記CN1*を下辺の左右に配置し、上辺中央部に長さを決める治具を被せて中央を輪にした紐FOを掛け、前記FOの両端を前記切欠き部に固定して、治具を外します。
次に前記部品CN2*を上辺左右に配置し、前記FCで図のように対角方向に張力をかけて、前記切欠き部にFCを固定して対象物に前記CNを固定します。装着は前記FOの輪をフックHFに掛けて重量を支持します。近くの常設してあるフックHSに透明な釣糸FPを掛けて、前記FPを引っ張って装着面と四隅のCN後端を接触させ、対象物上辺のCN2*の前面部分に固定して、前後左右に傾かない装着状態を保持します。着脱手順は実施例１に準じます。
【産業上の利用可能性】
【００９４】
対象物や装着場所や対象物の交換頻度や希望に合わせて、最適な壁掛装置の構成要素を設定する新たな概念です。安全を最優先にして、個々の装着条件や希望に合わせた装置や部品構成で対象物を装着し、複数の用途に対応できますので、一度選定するとさまざまな対象物に対して長く使え、装着の都度、適当な装置や部品を探していた従来の概念と違いますので、設置すれば長く利用していただけると思います。
床や畳の上に置かないで、壁面や柱に装着したい対象物は家庭内にも数多くあります。掃除の時など床から一時的に壁面に掛けられたら、床の掃除が大変やりやすくなります。またこれまで素人には困難であったエアコンや壁掛テレビなど重量のあるものの装着も、容易に着脱できて支持・保持機能のある本考案の壁掛装置は、着脱時間を短縮します。
最近地震が多くありますが、現行の突っ張り棒や、Ｌ金具、鎖などの倒れ防止装置は、構造材に設置されていない場合の危険性が指摘されています。本考案では重量を支持する構成要素は構造材に設置して、複数の紐や条材を掛けられますので、装着だけでなく家具の倒れ防止にも利用できます。
【図面の簡単な説明】
【００９５】
【図１】フックH*の構造と設置例と紐掛け実装例[１]  設置手段部Fxとツバ状板Fgとで構成されるフックH*の構造図[２]  上方からの条材FHに連結固定し、ピンで位置決め固定したHFに紐FOを掛けた実装例[３]  位置決め固定したHFと、条材FPと、補助部品AMの構成で上方隙間をなくす実装例[４]  構造材Stに木ネジで設置したフックHSに、中央を輪にした紐FOを掛けた実装例[５]  構造材Stに木ネジで設置した従来の代表的なフックに、紐を掛けた従来例
【図２】対象物背面にありフックH*と接触して機能する保持構造C*の構造と実装例[１]  空間Crと左右に板Fgと取付部Fxとベース板Bsとで構成される構造C*の部品構造図例[２]  構造C*に加えて重量支持板Spがある構造C*SpとフックHFの、対象物透過の構成図[３]  構造C*Spを木ネジで取付けたCSSpを、装着面に設置したフックHSに掛ける実装例[４]  裏板を切欠き構造C*Spを対象物内部に取付けたCSSpを、フックHSに掛ける実装例[５]  従来型の対象物背面のだるま穴を、構造材に設置した木ネジ頭に掛ける実装例
【図３】掛け紐FOと組み合わせて前後左右に傾かない装着の実装例説明図[１]  紐FOを掛けた後、対象物背面側上端AMに固定する条材FPで前後傾きをなくす実施例[２]  フックHSに紐FOを掛けた後、対象物背面の構造CSを掛けて前後傾きをなくす実施例[３]  対象物内部に取り付けた紐FOと保持構造CSSpをHSに掛け、前後傾きをなくす実装例[４]  対象物の天地・前後を逆にしてフックHSに掛けた実装説明図
【図４】装着位置に構造材がない場合、装着面で位置決め固定した壁掛装置の構成図[１]  上方の壁内間柱にフックHSを木ネジで設置し、条材FHで下方のHFに連結した実装例[２]  上下左右の四箇所に固定した紐FOを条材FHに連結したフックHFに掛けた状態側面図[３]  紐FOの四箇所の固定位置と、スペーサSHと、フックHFと構造CSの正面透過配置図
【図５】構造物端面に固定する装置と、装着面へ引っ張り固定する壁掛装置の構成図[１]  固定装置D*の要素部品と組立例を示す、実装側面図と組立側面図と実装正面図[２]  フックHFに紐FOを掛け、構造物側端面の装置D*に条材FPで引っ張った構成の側面図[３]  FH、HF、FO、AS、FP、を組合せた構成の壁掛装置を正面から見た要素配置図[４]  条材FPを装着面の方向へ引っ張って固定する、ピンで位置決め固定したフックHP
【図６】上方の横角棒BBにD*を被せ、対象物に傷をつけずFO、FPを固定する実装例[１]  装着面上方で間隔をおいた横角棒BBに固定装置D*を被せて条材FHを固定した実施例[２]  上方からの条材FHにフックHFを連結し四隅にCNを固定しFOとFPを出した側面構成図[３]  上方からの条材FHにフックHFを連結し四隅にCNを固定しFOとFPを出した正面構成図
【図７】構造物上縁で重量支持し、対象物背面の隙間を極小にした実装例[１]  構造物上縁で実装した固定装置D*の実装例を示す側面と正面から見た図[２]  保持部品CSSpを対象物内部に固定してFH、HF、CSSp、ST、FOで構成した実装側面図[３]  FH、HF、CSSp、ST、FOで構成した壁掛装置を正面からみた要素部品配置図
【符号の説明】
【００９６】
AM：対象物上端で、引っ張って位置を決める条材FPの端を固定する補助部品
AS：対象物の側面上端部で、引っ張り条材FPを固定する略Ｌ字形状補助部品
BB：装着面と間隔をあけて構造材に木ネジで固定する、水平上端面と設置手段がある角棒
Bs：部品のベース板
C*：フックH*が入る空間Crと、対向面と下方に傾斜面がある板Fgが左右にある保持構造
C*Sp：保持構造C*に加えて、重量支持される水平板Spが上端にある保持構造
CD：対象物の上縁に被せるDD前面に固定した、Crと板Fgと取付部分Fxがある保持構造部品
CI：対象物背面内部に加工して取り付けか成形された、Crと板Fgがある保持構造
CM：対象物背面の裏蓋に形成されるか加工されてある、Crと板Fgがある保持構造
CN：対象物の角で前面と二側面と接触し、前後で厚みを挟みつけて固定する補助部品
CS：対象物背面にネジ釘で固定される、Crと板Fgと取付部分Fxがある保持構造部品
c0：対向面c1の下方で前方と左右に傾斜する板Fgの傾斜面
c1：フックH*の対向面h1と接触して抜け留めと位置決め保持をする、左右にある対向面
c2：フックH*の設置状態で水平なツバ板Fgの上端面h2と接触して、重量支持される下端面
c3：フックH*のツバ状板Fgが入る空間Crの左右端になる略垂直な面
c4：FgとCrとSlとBsがある構造の部品を対象物に取り付ける手段の穴
Cr：保持構造C*の中央にあり、フックH*のツバ状板Fgが自重で入る大きさの空間
D*：前後面がある構造物の端面部に被せ、連結部品FDの張力で挟みつける固定装置
DD：上端面と前後面がある構造物の上縁に被せて設置する、調整機構のない鞍形状部品
DF：前後面がある構造物前面に接し、FDの張力で前面に押しつける構成D*の要素部品
DR：前後面がある構造物後面に接し、FDの張力で前方へ引っ張られる構成D*の要素部品
F*：変形自在で細長い線や帯状で、要素部品や構成を連結して支持・保持する連結部品
FC：部品CDやCNを対象物背面で連結して取り付ける変形自在で細長い線や帯状の連結条材
FD：構造物の前後面を張力で挟みつける、変形自在で細長い線や帯状の構成D*の要素部品
FH：上方で一端を固定して装着位置に連結する、変形自在で細長い線や帯状の連結条材
FO：対象物に端を固定しフックに掛けて重量支持する変形自在で細長い線や帯状の掛け紐
FP：前後左右に引っ張り位置を決める、変形自在で細長い線や帯状の引っ張り条材
Fg：取付面と間隔をあけて左右位置で対向するよう取り付けられるツバ状板
Fx：ツバ状板Fgを間隔をあけて取付面に設置または取り付ける手段があるブロック
H*：中央の設置手段Fxで、略四角形状のツバ状板Fgを左右で対向するよう設置するフック
HD：設置手段部Fxを、端面に被せる鞍状部品DDや構成D*の前面に固定したフックH*
HF：設置手段部Fxに上下の穴または溝があり、連結条材FHに連結固定するフックH*
HG：設置手段部Fxにある接着剤で固定したフックH*
HM：設置手段部Fxにあるマグネットで固定したフックH*
HP：設置手段部Fxを細ピンで位置決め固定したフックH*
HS：設置手段部Fxに前後の貫通穴があり、構造材に木ネジやビスで設置するフックH*
HU：設置手段部Fxにある吸盤で固定したフックH*
h0：フックH*の対向面h1と装着面との間にあり、紐状部品FOを掛ける設置部Fxの上端面
h1：保持構造C*の対向面c1と接触して抜け留めと位置決め保持をする、左右にある対向面
h2：保持構造C*Spの下端面c2と接触して重量支持する、設置状態で水平な板Fgの上端面
h4：条材FHに連結固定するフックHFの中央設置手段部Fxにある、上下の穴または溝
h5：ネジ止め固定するフックHSの中央設置手段部Fxにある、前後の穴または溝
Ｍir：鏡など穴をあけて取り付けるのが困難な対象物
Ｏbj：装着される対象物
PN：細ピン
Pr：着脱時に相手の傾斜面Slと接触して着脱を容易にする、面積の小さな先端部分
Ｐtt：パーティションやドなど端面と前後面がある構造物
S*：接触して厚さの間隔を保持する間隔保持機能
SF：対象物の背面でFOの端を固定し、部品厚さで装着面との間隔を保持する補助部品
SH：対象物下方背面と装着面との間に吊り下げて両面に接触し、間隔を保持する機能部品
Sl：着脱時に相手の先端部分Prと接触して着脱を容易にするc1の奥にある傾斜面
Sp：接触して重量を支持する、または支持される部分を有する部品
St：柱や桟など構造材
ST：対象物の裏板を留めるトンボで、部品厚さで装着面との間隔を保持する
Ｗal：壁や柱など略鉛直な装着面
【図１】
0003126148.tif 000003
【図２】
0003126148.tif 000004
【図３】
0003126148.tif 000005
【図４】
0003126148.tif 000006
【図５】
0003126148.tif 000007
【図６】
0003126148.tif 000008
【図７】
0003126148.tif 000009
【手続補正書】
【提出日】平成18年7月27日(2006.7.27)
【手続補正１】
【補正対象書類名】実用新案登録請求の範囲
【補正対象項目名】全文
【補正方法】変更
【補正の内容】
【実用新案登録請求の範囲】
【請求項１】
装着面と間隔をあけた対向面と略水平な上端面とが左右にあるツバ状板を、中央後方に突き出た設置手段部で装着面に設置するフックと、対象物に端を固定した変形自在で細長い線や帯状の掛け紐とを構成要素に含む壁掛装置で、前記設置手段部は装着面に直接ネジ釘などで設置する手段か、または上方から垂れた連結線材に固定して重量を支持しながら装着面に設置する手段を有し、前記掛け紐を前記設置手段部上端に掛けて、左右の対向面で抜け留め保持し、手前上方には抜け留め機能の面が実質的にない壁掛装置。
【請求項２】
請求項１記載の壁掛装置であって、対象物の背面上部にある保持部材と下部で装着面と接触する間隔保持部材S*とを構成要素に含み、対象物の前後の傾きをなくす機能があり、前記保持部材には、前記フックが上下に通過できる空間が中央にあり、前記空間の左右には、前記フックの対向面と接触する略鉛直面と、前記略鉛直面の下端から板厚が薄くなる方向と左右外方向に下降する傾斜面とがあるツバ状の板が、左右に離れてある構造で、
前記保持部材の空間と前記フックとの寸法関係は、前記略鉛直面の接触部外側の左右幅が前記フックのツバ状板の左右の幅より、接触部内側の左右幅が設置手段部の左右の幅より広いので、前記フックの対向面に接触させた状態で自由に上下に動かせ、前記空間の前後間隔と前記ツバ状板の厚さ、および装着面と前記フックの対向面との間隔と前記ツバ状の板厚さは、それぞれの前後の間隔内に相手の板厚が入った装着状態で、対象物下端の背面に指が入る程度の隙間ができるように設定されている、保持部材を含む壁掛装置。
【請求項３】
請求項２記載の壁掛装置において、対象物の背面上部にある前記保持部材は、前記保持部材の構造に加えて、前記略鉛直面の上端部で略鉛直面と装着面との間にあり、前記フックのツバ状板の左右上端面と接触する下端面を有する保持部材であり、接触して対象物の重量を支持し、前後左右に傾かない装着状態と、高さ位置をも保持する機能がある、保持部材を含む壁掛装置。
【請求項４】
請求項１記載の壁掛装置であって、装着面に設置した前記フックと、前記フックに掛けて対象物の傾きを補正して対象物側で端を固定する変形自在で細長い線や帯状の引っ張り線材と、対象物の上端部で前記線材を固定する補助部材と、下方で装着面と接触する部品または部分と、で構成する保持装置を構成要素に含み、前記フックの前面に対象物背面を接触させて固定して、前後左右に傾かない状態を保持する保持装置を含む壁掛装置。
【請求項５】
請求項１記載の壁掛装置において、前記フックが固定される連結線材の一端を、端面と前後面がある構造物の端部に固定する固定装置を含む構成で、前記固定装置は、変形自在で細長い線や帯状の前記連結線材と、前後面と接触する略Ｌ字形状の前後脚を組み合わせた鞍形状部品からなり、後脚の上端部分で前記連結線材の一端を固定し、前記部品を前記構造物の端面と前後面へ押しつけるように引っ張って、面接触による摩擦力で前記構造物の端部に、前記線材の一端を固定する固定装置を含む構成の壁掛装置。
前記固定装置は、略Ｌ字形状の前脚と後脚とからなり、前後脚は端面の後面側で一部が重なり、前後脚の中央上端に前記FDが入る穴かまたは上端から下方に抜ける溝があり、後脚には前記連結線材を固定する手段が、前脚には前記端面に接触する面がある構造で、前記連結線材は、一端を後脚の穴または溝を通して上端の固定手段部に固定して、前脚の上部から前脚側の穴または溝に入り、連結線材として装着位置のフックに連結固定する。
【請求項６】
請求項５記載の壁掛装置において、装着面と５mm以下の間隔をあけて、装着面の上方にある構造材に略水平上端面がある角棒をネジ釘で設置した固定部材と、前記固定装置と、を構成要素含み、前記固定装置で前記連結線材の端を前記固定部材に固定して、装着位置で前記連結線材に前記フックを連結固定して重量を支持する構成の壁掛装置。
【請求項７】
請求項４記載の壁掛装置であって、対象物の角部に前記掛け紐または前記引っ張り線材を取り付ける、対象物前面と直角な二端面と接触する補助部品と、前記補助部品に掛けて他の位置で張力をかけた、変形自在で細長い線または帯状の連結線材とで、対象物の厚みを端面部で挟みつけて固定する固定装置を含み、前記連結線材を前記補助部品にある穴や切欠きに掛けて、前記二端面を押しつけるように引っ張って、面接触による摩擦力で対象物の角部に前記補助部品を固定して、前記紐または線材を対象物に固定した壁掛装置。  
【手続補正２】
【補正対象書類名】明細書
【補正対象項目名】全文
【補正方法】変更
【補正の内容】
【考案の詳細な説明】
【技術分野】
【０００１】
本考案は装着対象物の重量を支持し装着状態を保持する壁掛装置の構成要素と、対象物や装着場所の状況に合わせた組み合わせ、および着脱方法に関します。
【背景技術】
【０００２】
従来の壁掛装置の技術や思想と、本考案との違いについて説明します。従来は装着環境や希望にできるだけ近い壁掛装置を探して、矛盾に対しては何かを犠牲にするか諦めて、多少の不満や不安は残して装着していました。
【０００３】
従来の壁掛装置は、対象物裏の装着位置に設置したフックに、対象物背面の掛け紐や、穴や切欠きの下端点を掛けて、または一対の嵌め合い構造の壁掛装置で、重量支持と装着状態を保持しています。装着位置には構造材がない場合も多く、落下の不安が残ります。着脱は対象物裏を覗きこみながら、あるいは勘でですが、見難い場所の点と点を合わせる装着は困難で、点接触では傾き、装着面と接触する下端辺で装着状態を保持しています。
本考案の壁掛装置も、主要構成要素のフックは装着位置に設置しますが、重量は構造材や構造物で支持します。装着位置に構造材があれば木ネジで、なければ上方で一端を固定した線材に連結固定して、装着面には位置決め固定して、希望の位置にフックを設置します。着脱が容易にできて、位置と前後左右に傾かない装着状態を保持するため、フックは点接触や嵌め合い構造ではなく、接触して機能する面が複数あります。
【０００４】
「嵌め合い」と「接触」を定義します。対向面があり、間隔部分に相手の板が入る構造の場合、入れた状態で対向した両方の面と接触していれば「嵌め合い」、押しつけた側の面とは接触して、押しつけなければ接触しない遊びがある状態を「接触」と定義します。微妙な場合、対象物上部の壁掛装置を機能させた装着状態で、下部の裏側に指が入る隙間(２cm以上)ができれば「接触」、指が入る隙間ができなければ「嵌め合い」とします。
通常遊びがないと接触面と直角方向への動かすには大きな摩擦抵抗が作用し、装着状態を保持するには有効ですが、着脱は困難です。圧入など、嵌合を厳しくするほど着脱は困難になります。本考案の主要な解決課題である、容易な着脱を実現するには、「嵌め合い」ではなく「接触」で支持・保持されなければなりません。
【０００５】
過去の壁掛装置は装着対象物の背面上部両端に固定した紐を、上方の構造材である柱や桟などの木材に、釘類やフックを設置して掛けていました。頭上で行う設置や装着作業は困難で、壁掛装置が見えて見映えも良くありません。最近は目線の高さが多く、対象物の裏側で掛けて紐やフックは見えないのですが、裏側の狭い隙間で掛ける作業も容易ではなく、対象物は前方へ傾き、装着位置に構造材がない場合が多く、落下の不安が残ります。
薄壁や脆い壁では、桟や柱など見える構造材や、壁内にあるはずの横木や間柱などを音で探して、希望位置から外れても構造材に木ネジで設置しています。ガラスやコンクリートの面とか、傷をつけたくない壁面とか、木ネジでの設置に適さない場合も多くあります。それぞれの壁面に適した設置手段を工夫し、接着や吸着で設置するフックもありますが、経時変化や取付面の状況で耐荷重量が大きく変わり、落下の不安が残ります。
展示会場など対象物や位置を頻繁にかえる場所では、左右に移動できるレールを上方に設置して重量を支持し、細いワイヤで目線の高さ位置にフックを連結固定して、対象物の裏側で重量支持の紐を掛け、さらに前記紐を装着面に固定して裏側の隙間と前方への傾きを少なくしていますが、狭い隙間での作業は容易でなく、多少前方への傾きが残ります。落下の不安はありませんが、装着面との間にフックの厚さ以上の隙間ができます。
本考案では装着位置に構造材があれば、厚さが薄いフックHSを木ネジで設置しますが、構造材がない場合、上方で固定した線材FHに連結固定して装着面に位置決め固定する手段があるフックHFで、希望位置に装着します。上方で線材FHの一端を固定するには、前後面がある構造物の上縁での固定装置D*、またあらかじめ壁内の構造材の位置に、目立たないフックHSを常設しておくことも提案しています。
【０００６】
構造材に木ネジで設置する、従来の汎用フックの構造例を[図１−５]に示します。紐を掛けて重量を支持する略水平部分が突き出し、同じ左右幅で上方に向かって抜け留め部分と、突き出しの根元部分を固定している取付板があり、重量を支持する根元接合部に十分な強度が要求されます。掛け外しを容易にするためには、装着面からの十分な突き出し量と、上方に十分な空間が必要で、狭い場所や見えない場所では、着脱が困難です。
従来のフックの抜け留めは、紐を掛ける部分の幅で手前上方にあります。重力は下方に働くので、抜け留めが上方にあれば乗り越えなければ外れず、外したいときは紐を上方に持ち上げて外せます。地震の上下動など瞬時的には紐が剛体となって対象物と一緒に飛び上がり、乗り越える可能性があります。輪や穴を掛ければ外れ難いのですが、装着状態で縦方向の輪や穴を上方から掛けるのは容易ではなく、見えない場所ではさらに困難です。
従来のフックには、抜け留め部分を木の葉などさまざまな形状にしたインテリアフックもあります。釘や木ネジの頭も同様ですが、重量を支持する丸棒の上下左右に抜け留めの略鉛直面があり、上下の面を乗り越えて掛け外す作業が困難です。本考案のフックH*は、左右に抜け留め面があり、上方に抜け留め面がないので、水平な上端面に横から縦方向の輪を掛けて、重量を上端面で支持しながら、紐FOを容易に掛け外しすることができます。
【０００７】
従来の汎用フックの設置は、[図１−５]に示すように紐掛け位置の上方一箇所で取付板をネジ釘で固定します。取付板の下端を支点にして、装着面から取付板を引き剥がす力に対して、ネジの引っ掛かり量が少なくても、てこの原理が働くからです。重力方向にネジ釘を引き抜く力はかかりませんが、取付板と重量支持部分との間に、突き出しの根元部分など強度が心配な接合と固着部分があります。
[図１−４]に示すように、ネジ類で固定するフックHSは、構造材Stに設置する木ネジの胴体に直接紐が掛かる構造で、強度が心配な接合・固着部分がなく、また前面が平面で、突起物がない構造です。[図１−５]の従来フックと比較してみると、装着面からの突出量が少なく、略水平な上端面h2で重量を支持しながら、狭い隙間でも、手探りでも、容易に着脱でき、地震の上下動でも掛け紐が外れ難い構造であることが理解できると思います。
【０００８】
穴や切欠きを形成する縁部があり、釘や木ネジやＬ字フックなどに穴や切欠きの下端面を掛けて点接触で重量を支持し、奥の空間に釘などの頭やＬ字略鉛直部が入って抜け留めとなる、[図２−５]の構造例などが背面上部に組み込まれた対象物があります。対象物の裏側に位置する釘などは前から見えず、背面が装着面と接触すれば前後に傾かない保持ができるのですが、見えない場所の穴や切欠きに釘の頭などを入れるのが困難です。
着脱を容易にするには、[図２−５]右図に点線で示すように下方が広い傾斜溝にすればよいことは容易に考えられますが、面積が多少広くなっただけで見えない場所にあることは変わりなく、前後の嵌め合わせには前記傾斜溝は関係せず、厳しい前後の嵌め合い構造にすると着脱が困難になります。また前後の嵌め合わせを楽にするためフックの突出量を多くすると、上端部が装着面から浮き、対象物は前後に傾きます。
【０００９】
[特許文献１]は壁面に突設されたビス等の係入を誘導する落込穴と、連通する横長状の調整穴とが形成されている鏡取付金具です。鏡の裏で見えない場所にあり、左右は落込穴の幅内に入れば挿入は容易にみえますが、水平下端面と接触させて左右に動かせば、傾斜がなくても溝に入ります。むしろ前後方向が、前記ビス等の頭が落込穴と鏡面裏との間に入る関係になり、前記ビス等の突設量が少ないと、裏側に指も入らず着脱は困難です。
[図２−５]左図のように傾けて落込穴の奥にビス等の頭が入るか、重量支持状態で傾けられるかが重要です。本考案の保持部材C*Spは前方への傾斜面c0があり、[図２−４]のように傾けて着脱でき、略鉛直面と対向面が接触して前後に傾かない装着状態を保持します。前記c0には左右の傾斜もありますが、目的は掛け紐の逃げです。着脱を容易にする傾斜面は面c0の奥に傾斜面Slがあり、フックH*のPrと接触して機能しますので、参照文献の落込穴とは前後の位置が違います。
【００１０】
前記参照文献に記載の鏡など、穴あけが容易にできない対象物に壁掛装置の構成要素を取り付けて機能させるには、[図６−２・３]に示すように、補助部品CNを対象物の複数の角部に配置して、連結線材FCで連結しながら前後で挟み付けて固定して、壁掛装置の構成要素を取り付ける本考案の固定装置が利用できます。
【００１１】
従来額縁の装着は、天井近くに釘やフックを設置し、額縁の背面に固定した紐を掛け、額縁下辺を額受や横木構造材の上面で受けて、下方に傾かせた状態で見上げていました。最近は、目線の高さの装着が多いようですが、対象物の重心位置が紐の固定位置より手前にあるために、側方から見ると下方へ傾きます。傾く量を減らすために、額縁の裏の狭い隙間で紐や線材を装着面に固定する作業は容易ではなく、まだ少し傾いています。
両面を使うボードやパネルなどでは、外枠の上端面で厚み中央の左右対称位置二箇所にリングを設けて紐を固定し、紐を上方で掛けて装着面に略平行に装着しています。厚さが薄い前記ボードでは装着面に平行に見えますが、厳密には前後の重心の真上で掛けなければならず、また対称でない前後の重心位置を知ることは困難で、強度や見映えなど問題も多く、重量物や厚い対象物では採用されていません。
【００１２】
[特許文献２]は上部に横設したレールの左右二箇所に吊り下げ具を係合させ、前後位置になるように二本の独立した吊り下げ線材を、被支持部材の前後位置で各々吊り下げた、前後の傾きをなくす四点壁面吊り下げ装置です。天井からの吊り下げでは利用されている技術ですが、重量がかかった四本の線材を、上方の吊り下げ具に固定するのは困難な構造で、着脱容易で傾かないという課題を解決させる手段ではありません。
本考案の壁掛装置では、重量支持の機能は別に分担し、引っ張り線材FPの一端は、前後左右に傾かない装着状態と装着位置を保持するため、装着面方向へ張力をかけた状態で、前記レールより装着面により接近した、装着面から５mm以内の位置で固定されます。重量が支持された状態で傾き状態を見ながら作業して装着状態を保持しますので、重量を支持しながら掛けて、確認して調整する作業に比べて容易にできます。
【００１３】
参照文献の棚に置くという作業は容易にできますが、線材で吊るした棚は、剛体で固定した棚より地震や衝撃のとき棚板自体が大きく傾き、置いた対象物が落ちる危険性が大きく、本考案での課題解決手段ではありません。棚板は保持されても、置いた物が落ちたのでは意味がありません。多連Ｊフックの実施例も開示されていますが、さらに下方へ吊り下げるためのフックを前後位置で吊り下げる必然性もありません。
【００１４】
凹み形状が中央にあり、両側に取り付け用のツバ面がある同一幅と厚さの板金金具と、前記凹みに入る厚さと幅の部分がある略Ｊ字形状の金具と、で構成された「差込フック」という壁掛装置があります。差し込まれる略Ｊ字金具の抜け留め機能部分は垂直でなく、前記凹みを形成している鉛直面と面接触せず遊びがあり、嵌め合い構造ではありませんが見ないで入口を合わせるのは困難な構造で、装着した対象物は下方に傾きます。
本考案のフックH*と保持部材C*との組み合わせは、対向面同士を接触させて前後の位置を決め、下方の間隔保持部品S*も装着面と接触して間隔を保持して、前後に傾きません。フックH*には紐を掛ける部分があり、先に紐を掛けた後で前記保持部材C*を接触させるときには傾斜面もあり、フックH*を見なくても着脱できます。また装着位置に構造材がない場合、差込フックには耐荷重量を保証する手段がありませんが、フックH*には上方からの連結手段があります。
【００１５】
[特許文献３]は、物を載せる横長い棚板の取付構造に関するもので、嵌合で支持・保持をしている事例です。後方へ下降し取付面とでアリ溝を形成する支持片と、支持片と一致する傾斜面を有し支持される取付片と、一方に穴と、他方に穴と嵌合して保持するために外周に凹凸がある固定片とで構成されています。穴と固定片は圧入で、見ないで合わせるのは困難で、位置が合っても圧入の深さを感触で知るのは容易ではありません。
本考案の保持部材C*の空間に入るフックH*の板Fgは圧入ではなく、対象物下端と装着面との間に指を入れられる隙間ができる、板厚と前後間隔に設定されます。圧入では容易に着脱という課題の解決はできません。また短い圧入部分だけで対象物が前後に傾かないよう保持しようとすると、圧入部分にかかる負担が大きすぎます。本考案では、上部と下部の距離のある二位置で垂直面を接触させて、上下の間隔を等しく保持します。
【００１６】
[特許文献４]は、傾斜辺のツバと、嵌め合う傾斜溝とで抜け留めをする、二部品で構成される壁掛装置です。アリ溝構造の従来技術例も含めて、前後が嵌め合いになっており、見ないで入口形状を合わせることは、前述の差込フックよりさらに困難です。嵌め合いの思想では、装着状態を保持するために、ツバの厚さと溝幅との差は少ないほど、また嵌め合い距離は長いほど望ましい構造ですが、着脱は困難になります。
本考案では着脱の容易さが課題の一つですので、嵌め合い構造は採用できません。嵌め合いにみえるツバ状板Fgの厚さと入る隙間との関係は、対向面同士を接触させた装着状態で、対象物下端の背面に指を入れる隙間ができるよう設定しています。対象物の下端両側を持って装着面に対象物の上端をあて、傾けた状態で着脱できます。面積の小さい部分Prと傾斜面Slが接触して小さな摺動抵抗で動かせ、着脱をさらに容易にしています。
【００１７】
[特許文献５]は、装着状態では傾斜面同士の接触で支持・保持し、抜け留めの鉛直部分が別にある壁掛装置です。着脱を容易にする傾斜面の延長部分で重量支持され、本考案のフックH*のように紐を掛ける部分はなく、一対の壁掛装置だけで課題の解決を試みています。本考案では先に紐を掛けて重量支持しますので、面接触の装着状態までの移動距離が少なく、傾斜面は装着状態で接触しないので段差があり、装着位置は感触でわかります。
【００１８】
パーティションやドアなど、上端面と前後面がある構造物を利用するフックはいろいろあります。一方を前記構造物上縁に掛け、他方に紐などを掛ける略Ｓ字形状のフックや、構造物の厚さ以上の水平面と前後に長短略鉛直面が対向してあり、長い方の下端がフックになっているドアフックや長押フックなど、調整機構を持たないフックがあります。固定手段がないので左右に動きやすく、掛ける高さと前後の掛け位置は調整できません。
前面側は略Ｊ字の上端を後ろ側へ曲げて端面に掛け、後面側は略Ｌ字形状を端面と後面に配し、上端面で重なり部分をスライドし、前後面を挟みつけてネジで固定できる機構のパーティションフックがあります。構造物の上縁部にしっかりと固定でき、上下左右には動きませんが、上縁で前後を挟みつけた状態で、ネジで固定する作業が容易ではありません。
[特許文献６・特許文献７]は、上端面と前後面がある構造物の上縁に、掛止体と二つの前後脚片を被せ、前の脚片にフックまたは支持体を有し、前後脚片の一方または両方から調整具で前後面と密着させて、隙間をなくして固定する構造です。文献６の方は屈曲自在な脚片を押し付けて固定するので、密着圧に不安があります。どちらも前後で挟みつける固定作業が必要で、掛ける高さと前後の掛け位置は調整できません。
【００１９】
本考案の構造物端面に固定する装置D*には、フック構造や調整する機構はありません。構造物の前後面を挟みつける二つの略Ｌ字形状部品を、端面で一体化する線材FDが、装着位置の方に引っ張られる張力で前記Ｌ字部品を前後面に押しつけて固定するので、固定する機構も作業も必要ありません。装着位置で連結するフックHFを引っ張って位置決め固定すれば、張力が作用して、軽量な対象物でも地震や衝撃に対して外れ難くなります。
【００２０】
参照した特許文献
【特許文献１】実開平１−１５００７２：「鏡取付金具」
【特許文献２】実開平５−６８３８５：「壁面吊り下げ装置」
【特許文献３】特開２００３−２１０３０９：「壁等取付け部材」
【特許文献４】ドイツ特許公開ＤＥ３６３２８１９号：「Halterung,insbesondere Bilderhalterung」
【特許文献５】実登３１０７６１１：「傾斜面がある壁掛装置」実登３１１１１６３：「着脱容易な壁掛装置」
【特許文献６】登録実用新案３０１２２２２：「掛け吊り具」
【特許文献７】特開平８−１４０８２０：「支持装置」
【考案の開示】
【考案が解決しようとする課題】
【００２１】
壁掛装置は、対象物を装着面の希望位置に、背面に隙間をあけずに装着し、前後左右に傾かない装着状態を地震や衝撃でも保持し、装着位置に構造材がなくても絶対に落下させてはいけません。一方で目立たず、壁掛装置を見ないでも着脱できるという矛盾した要求があり、従来の点接触や嵌め合い構造では解決できておらず、容易に着脱できて前後左右に傾かない装着状態を保持する壁掛装置が課題です。  
【００２２】
装着希望位置に構造材がない場合、壁内の構造材を音で探したり、構造材のある場所に装着したり、設置手段を工夫して耐荷重量を増すのではなく、構造材や構造物に連結線材の一端を固定して装着位置でフックを設置するために、前記線材に連結固定する手段と、装着面に位置決め固定する手段があり、対象物の背面と装着面との隙間を少なくするため突出量が少なく目立たないフックの構造と、壁掛装置の構成と設置方法が課題です。
【００２３】
従来より、フックを見ながら紐を掛ける作業は比較的容易でしたが、掛け外しに十分な空間が上方に必要、装着までは手で対象物の重量を支持しながら掛けなければならない、掛けたあと傾き調整が必要で、重量を支持した状態では微少移動が困難、など問題もありました。フックが見えない場合、まして対象物裏の狭い隙間で、突出量が少ないフックや木ネジに、対象物の重量を手で支持しながらの掛け外しはとても困難でした。
また対象物背面の左右に固定した掛け紐の中央をフックに掛けた場合、[図１−５]のように紐は下方へ広がり、上方には抜け留めがないので、地震の上下動などで外れやすくなります。巻き付ければ外れ難くなりますが、傾き調整と着脱は困難になります。上方の空間が少なくても、狭い隙間や見えない場所でも、重量を支持しながら容易に紐を掛け外せ、傾き調整が不要な壁掛装置の構成と、フック構造と、紐を掛ける方法が課題です。
【００２４】
対象物の背面上部にある穴や切欠きなどの下端面を掛けて装着する場合、見えない場所のフックや釘に穴や切欠きを合わせるのが困難です。点接触なので掛けたあと傾き調整が必要で、背面と装着面を面接触させて装着状態を保持しています。フックを見ないで容易に掛け外しができ、掛けただけで前後左右に傾かない装着状態が保持できる壁掛装置の、構成と要素部品の構造が課題です。
【００２５】
パーティションやドアなど、前後面がある構造物の端面部で支持する場合、高い場所でネジなどの機構で締め付けなくても、端面部に被せるだけで複数の面を接触させ、面接触による摩擦力で動かないよう端部に連結部品の一端を固定できる固定装置と、希望の位置で容易に着脱できて、前後左右に傾かない装着状態を保持できる、壁掛装置の要素部品と固定装置の構造が課題です。
【００２６】
装着希望位置にフックを固定できず、装着面が前後面がある構造物でもない場合、重量を支持する何かがないと、重量が支持出来ません。レールより簡単な構造の部材を上方の構造材に固定して、連結線材の端を固定して、装着位置のフックに連結固定して、重量を支持する装置の構造と着脱方法が課題です。
【００２７】
外箱に入った対象物を一時的に装着面に掛けたい場合、ネジ釘や接着剤を用いないで、対象物に掛け紐などを取り付ける手段が今はありません。フックに容易に着脱でき、前後左右に傾かない装着状態を保持できる掛け紐などを、外箱に傷や接着剤をつけないで対象物に固定できる、部材固定装置の構造が課題です。
【課題を解決するための手段】
【００２８】
構造材や構造物に一端を固定した連結線材FHにフックHFを固定する壁掛装置の構成は、構造材がない希望位置でも対象物を装着でき、突出量が少ないフックH*は、対象物背面の隙間を少なくし、中央を輪にした掛け紐FOは、上端面があるフックH*に容易に掛け外せて左右に傾かず、重力や線材の張力を利用して複数箇所の面接触で支持・保持する壁掛装置の構成は、容易に着脱できて前後左右に傾かない装着状態を保持します。
特に前方に傾かない装着状態を保持する課題に対して、一対の壁掛装置、一回の掛ける動作で解決するのではなく、離れた場所での面接触や固定を別工程で行い、容易な着脱と傾かない装着状態の保持を両立させます。従来の壁掛装置と違い、複数箇所を面接触させて支持・保持・固定をし、要素部品や装置は組み合わせ方で異なる機能をし、従来技術の長所や部品も利用して、状況と希望に応じて最適な組み合わせで課題を解決します。
【００２９】
本考案の壁掛装置は必ず構造材や構造物で重量を支持します。フックの材料や接合部の強度が十分であれば、設置手段で壁掛装置の耐荷重量が決まります。装着位置が柱や桟など構造材の場合や、薄壁や脆い壁面でも装着位置の壁内に構造材があり十分な強度が得られる場合はネジ釘等で、コンクリート壁の場合は設置位置に穴をあけて専用プラグを差し込み木ネジ等で、金属の面ならタップを立ててビスで、フックHSを設置します。
装着希望位置に構造材がない場合や穴をあけたくない場合は、フックの設置手段部Fxに上下の穴または溝と位置決め固定する手段とがある、突出量が少ない構造のフックHFを、一端を上方の構造材や構造物に固定した、変形自在で細長い線や帯状の連結線材FHに連結固定して、装着面に位置決め固定して、希望位置にフックHFを設置します。前記位置決め固定は、ぶらぶらしないあるいは前方へ傾かせないための固定で、重量は支持しません。
【００３０】
前記連結固定は、フックHFの設置手段部Fxにある上下の穴または溝に連結線材FHを入れて固定します。固定手段は、前記FHの断面積より狭い部分溝や蛇行させた溝に入れたり、前記FHを部分的に太くして溝に入れ、ビスで締め付けて固定する、また前記Fxの上下の穴や溝を通した下端位置で、前記FHで結び目を作るとか、前記Fxの穴や溝より太い抜け留め部品を前記FHの外周に固定する、などさまざまな手段があります。
【００３１】
フックH*の符号＊は、同じ構造でも設置手段の違いを示します。設置手段部Fxと略四角形状のツバ状板Fgとがある基本構造をフックH*として、連結線材FHに連結固定したフックHF、木ネジなどネジで構造材に設置したフックHS、鞍状部品DDや構成D*の前面に固定して端部に被せるフックHD、細ピンで位置決め固定したフックHP、取付板Fxに接着剤が付いたフックHG、取付板Fxに吸盤があるフックHU、取付板FxにマグネットがあるフックHMなど。
【００３２】
対象物背面の壁掛装置だけでは、重量が十分支持できないか、前後左右に傾かない装着ができない、また着脱が困難な場合は、外部に構成要素を配置して課題を解決させます。透明な材料や、装着面や対象物の外枠と同じ色にすれば、外から見えても目立ちません。ナイロンの釣糸は、紫外線で強度が半減することに注意します。構造材へ強固に設置した木ネジなどの手段を外すと傷痕が残りますが、目立たなくする補修材があります。
【００３３】
請求項１は、掛け紐FOと、抜け留め面h1が左右にあるフックH*[図１−１]の構成の壁掛装置です。前記H*は、上端に掛け紐を掛ける面h0がある中央の設置手段部Fxで、左右位置にあるツバ状板Fgの前記Fx側の面h1を装着面と間隔をあけて対向させて設置して抜け留め保持するフックで、前記面h0の手前上方には抜け留め面が実質的にない構造です。実質的にないとは、あっても左右に前記面h1がなければ抜け留め機能には不十分な存在です。
前記対向面h1の上端には、従来のフックにはない略水平な面h2があります。フックH*は、前記Fx部でさまざまな最適な設置手段に対応でき、前記面h0で重量支持、前記面h1で抜け留め・位置決め、前記面h2では重量支持と左右の水平と高さ位置の保持と、接触して機能する複数の面があり、状況と希望に応じて最適に組み合わせる壁掛装置の主要構成要素として、同じフックを単機能でも複合機能でも使えます。
フックH*は、対象物に端を固定した、変形自在で細長い線や帯状の掛け紐FOを前記面h0に掛けて重量を支持し、前記左右の対向面h1で抜け留め保持しています。従来のフックのように上方からではなく横から掛け外しができますので、前記水平面h2で対象物の重量を支持しながら、突出量が少なくても容易に掛け外しができます。請求項１のフックH*と紐FOの壁掛装置の構成は、掛け外ししやすく、上下の振動に対して外れ難い構造です。
【００３４】
紐掛け作業で、狭い隙間や見えない場所でも容易に掛け外しができ、傾き調整を不要にするには、[図１−４]のように掛け紐の中央に輪を作るのが有効です。前記輪の空間は、水平面と直角になるため、上方に抜け留めがある従来のフックより、左右に抜け留め面がある本考案のフックH*の方が容易に掛け外せます。さらに前面が略四角形状で上端面h2があり、重量を支持しながら、上方の空間が少なくても、手探りでも掛けられます。
掛け方は[図１−４]で、掛け紐FOの中央部にある前記H*の前面外周の長さ程度の輪を、前記ツバ状板Fgの左右どちらかの上端面h2に掛けて、前記h2で重量を支持しながら、前側の紐FOを右図二点鎖線のように他方の左右端から回し込んで、装着面との間隔部分にある取付手段部Fxの上端h0に掛けます。対象物背面と装着面との隙間が狭くても、重量を支持しながら手探りで掛けられ、上方に掛け紐FOの厚さが入る空間があれば掛けられます。
外すときは装着と逆の動作で、一方の手で対象物を支えて前記紐FOの輪を左右に緩め、[図１−４]の右二点鎖線の位置から紐FOを前面側に回し込んで、フックH*のツバ状板Fgの図では右側の上端面h2に掛けます。左右どちらかの前記h2で、紐FOを前後に掛けた状態になれば、対象物を持って容易に外せます。
【００３５】
フックH*に中央を輪にした紐FOを掛けても、左右は水平になりますが前方へ傾きます。前後の傾きもなくすには、対象物中央上枠に補助部品AMを取り付け[図３−１]、引っ張って位置を決める線材FPを前記AMに仮固定して前記H*に下から掛け、掛け紐FOを掛けたあと仮固定をゆるめて、フックH*の前面に当たり前後の傾きがなくなるまで、上方から前記FPを引っ張り直して、前記AMに再固定して傾かない装着状態を保持します。
外すときは、前記AMに固定した引っ張り線材FPの固定を緩めて、対象物上端と装着面とに作業隙間を作り、掛け紐FOを前記上端面h2に掛けた状態にして、対象物を持って外します。対象物上端の空間で作業はでき、背面の狭い隙間で装着面に固定したり外したりしていた従来の作業よりはるかに容易です。前記AMは対象物から外部に出ますが、透明な樹脂や外周と同じ色であれば、上端にあるので目立ちません。
【００３６】
請求項２は、装置部分を見なくても掛け外しの動作で容易に着脱できて、前後左右に傾かない装着状態を保持する壁掛装置で、装着位置に設置したフックH*と、対象物の重量を支持する掛け紐FOと、対象物の背面上部にある保持部材C*と、下部の間隔保持部品S*とで構成する壁掛装置です。従来の紐掛けだけでは前後に傾く装着を、掛ける動作でフックH*の左右面h1と保持部材C*の左右面c1を接触させて、前後の傾きをなくしています。
下部で装着面と接触する間隔保持部品S*は、部品でないかも知れません。対象物は背面で吊り下げている限り前方に傾き、後方へ出っ張っている部分が装着面と接触します。間隔保持機能が間にあれば前記部品が、他の機能部品が出っ張っていれば機能を兼用して前記部品が、何もなく平らであれば背面の下端が装着面と接触します。前記S*は、上部で設計した隙間寸法の厚さで、上下の隙間を均一にする機能の、部品または部分です。
前記構造C*は、対象物背面や背面内部に取り付けられるか形成されてあり、フックH*と面接触して抜け留めと位置決め保持をする機能です。前記C*の構造[図２−１]は、前記H*のツバ状板Fgと設置手段部Fxが上下に通過できる大きさの空間Crが中央にあり、前記Crの前面に前記面h1と接触する略鉛直面c1と、前記面c1の下端から装着面の方向と左右方向に下降する傾斜面c0と、があるツバ状の板Fgが左右に離れてあります。
図は部品なので、前記空間Crの左右端に略垂直な面c3と、前記c3下端から左右に下降する傾斜面Slと、取付手段の皿穴c4がある取付手段部Fxがあり、左右の前記FgとFxをベース板Bsで一体化しています。前記Fx下端にある傾斜面Slと、前記H*の上辺角の面取部分Prとを装着のときに接触させれば、重力が前記H*のツバ状板FgをC*の空間Cr内へ案内し、前記面h1と面c1が接触して抜け留めと位置決め保持の機能をします。
【００３７】
構造C*とフックH*との寸法関係は、左右に離れた前記面c1の外側間は前記H*のツバ板Fgの左右幅より広く、前記c1の内側間は前記H*の取付手段部Fxの左右幅より広くて、前記面c1とh1を接触させた状態で自由に上下に動かせます。前記面c1の下端から下降する傾斜面c0は、装着面方向は装着のときフックH*の対向面h1の奥の空間に面c1を容易に挿入させ、左右方向は前記Fxにある傾斜面とPrの接触を優先して紐FOと接触させない逃げです。
前記面c1の奥の空間Crの前後の間隔内に、フックH*のツバ状板Fgが入り、装着面と前記H*の対向面h1との間隔内に、前記C*の板Fgが入り、前記面c1と面h1を接触させた装着状態で、対象物下端の背面に指が入る程度の隙間(２cm以上)ができるように、それぞれの間隔と板Fgの厚さが設定されており、着脱のときに対象物の下方を両手で持って、容易に掛け外しすることができます。
【００３８】
保持部材C*の＊は取り付けまたは加工手段を示します。C*はフックH*が上下に通過する空間Crと、対向面と傾斜面がある板Fgが左右にある構造部分。CDは対象物の上縁に被せるDDの前面に固定した構造C*がある保持部材。CIは対象物の内部に取り付けたか成形された構造C*がある保持部材。CMは対象物の裏蓋に構造C*を加工するか一体成形されている保持部材。CSは対象物背面に構造C*を取付部分Fxでネジ釘で固定する保持部材、など。
【００３９】
装着は、先ず中央に輪がある掛け紐FOをフックH*に掛けて重量を支持し、次に対象物の左右下端を持って前記H*に掛ける動作で、前記H*の上端角の面取り部分Prの一方を、保持部材C*のFx部下端にある傾斜面Slの左右幅内で接触させます。前記Prは前記傾斜面に沿って、フックH*のツバ状板Fgを略垂直な面c3間へ案内し、対象物は掛け紐FOが弛まない高さ位置で支持され、フックH*や部材C*を見なくても、重力を利用して容易に装着できます。
外すときは、装着状態でも対象物を傾けて下端を手で持つことができますので、前記C*の高さ分まっすぐ上方に持ち上げれば、容易に外れて紐掛け状態になりますし、重い場合は前記Prを再び前記Fx下端の傾斜面SLに接触させて、重量を支持させながら斜めに持ち上げて外して紐掛け状態に戻し、掛け紐FOを持って容易に外すこともできます。作業工程は増えますが、着脱動作は容易です。
【００４０】
従来の掛け紐は、対象物背面の上下の重心位置より上方で固定されています。フックが対象物裏側の見えない位置では、紐の固定場所とフックの距離を短くするほど隙間が狭くなり、掛け外しは困難でした。対象物の下方で掛け紐を固定すると、作業空間を広くできます。[図３−４]のように、対象物の天地と裏表を逆にしてフックHSに掛け、次に矢印のように天地と裏表を正規に戻して、前記C*を掛ける動作で容易に装着できます。
対象物の天地を逆にして掛ける作業に抵抗があったり、掛けた後正規に戻す作業が困難な場合は、対象物の重心位置を跨いで上下位置に固定した補助部品SFに二本の紐FOを固定して、[図４−２]のように対象物上端に作業空間を作り、装着位置のフックH*に掛け紐FOを容易に掛け外しできます。下方の掛け紐FO1*で重量を支持し、対象物下端を持って前記C*を掛ける動作で、フックH*と面接触させ装着します。上方の掛け紐FO2*は装着状態では弛みます。
【００４１】
容易に着脱できて前後に傾かない装着状態の保持、という課題を解決する手段の原理を説明します。対象物背面の上部に端を固定した紐を装着面に設置したフックに掛けると、対象物下辺が装着面と接触し、前記下辺を支点にして対象物の重心が装着面から離れようとする回転モーメントが発生し、前記紐の固定位置が下方になるほど上辺に大きい隙間ができて、[図３−１]のように手前下方へ傾きます。
従来は紐の固定位置近くで装着面に紐を固定して隙間を少なくしていましたが、狭い隙間での作業は困難でした。また嵌め合い構造の壁掛装置は前記下辺を接触させず、装置部分だけで前記離れる力を受けて前後左右に傾かない状態を保持をさせようとし、特に前後の位置合わせは対象物を装着面に接近させるほど指も入らず困難で、一箇所での支持・保持は支点との距離が短くて力が集中し、衝撃に弱く、壁掛装置の材料強度も重要でした。
【００４２】
本考案は、対象物下方に上辺隙間と同じ厚さの間隔保持部品S*を配置して装着面と接触させ、上記上辺が装着面から離れようとする力を利用して、装着面に設置したフックH*の対向面h1と対象物背面の上部にある前記C*の略鉛直面c1とが接触した上辺の隙間を前記S*の厚さと同じにし、上下の面接触で均一な隙間を保持します。また、離れた二箇所の広い面積の接触で上記の力を受けますので、集中して局部的な力にならず状態を保持します。
間隔保持部品S*の厚さは、前記H*の対向面h1と前記C*の略鉛直面c1が面接触した状態で、装着面と対象物背面との間隔に等しく設定されます。前記面h1と面c1が上方で、前記S*と装着面が下方で面接触して上下の隙間間隔が等しくなり、前方への傾きがなくなります。
間隔保持部品S*を設置する手段は、対象物背面または装着面に貼り付ける、紐でフックH*に掛け吊り下げる、対象物背面に形成する、などいろいろありますが、掛け紐FOを固定する補助部品SFの高さを前記隙間間隔にして、[図４−２]のSF1*のように対象物の上下の重心位置より下方の左右両側の枠に配置して、前記SFで間隔を保持する手段も有効です。
【００４３】
請求項３は、掛け外しの動作で容易に着脱できて、前後左右に傾かない装着状態を保持する壁掛装置で、装着位置に設置したフックH*と、掛け紐FOと、対象物の背面上部にある保持部材C*Spと、下部で装着面と接触する間隔保持部品と、を構成要素に含む壁掛装置です。前記C*Spは前記保持部材C*の要素部分に加えて下端面c2があり、前記H*の水平上端面h2と左右位置で接触して、重量支持と左右の水平と高さ位置も保持する機能があります。
掛け紐FOは、前記上下端面c2とh2が接触した状態では弛む長さに設定され、先にフックH*に掛けて、装着のときの移動距離を短くして着脱を容易にし、仮に前記C*Spが外れても対象物を落下させません。前後にも傾かない装着状態を保持するために、下方に間隔保持部品S*を組み合わせますが、対象物背面と装着面を面接触させて隙間をなくす構造も可能です。この場合でも、対象物の下方を持って容易に着脱することができます。
【００４４】
フックH*と前記C*Spの組み合わせは、対象物の重量に対して上辺枠に十分な強度がある場合に限定されるべきです。上辺の中央一ヶ所で対象物の重量を支持しますので、強度が不十分な場合には、上辺枠が盛り上がったり破損する可能性があります。対象物の重量や枠の強度に応じて、接続部を補強するか、左右枠に両端を固定した紐FOで重量を支持するなど対策します。
【００４５】
請求項３は、請求項２に記載の保持部材C*の構造要素である空間Crと略鉛直面c1と前後左右の傾斜面c0に加えて、フックH*の水平上端面h2と左右位置で接触して重量支持される下端面c2がある板Spが上端部にある前記C*Spと、装着位置に設置したフックH*と、掛け紐FOで構成する壁掛装置で、[図２−２]に手前の対象物を透過した図で、連結線材FHに連結したフックHFと、保持部材C*Spの構成例を示します。
図は部品なので、略垂直な面c3と、下端から左右に下降する傾斜面Slと、取付穴c4と、がある取付手段部Fxが左右にあり、左右の板Fgを一体化するベースの板Bsもあり、各機能は前記C*で説明しました。前記C*Spの取付手段部がない場合、前記板Fgにある傾斜面が、前記フックHFの設置手段部Fxの面取り部分と接触して着脱を容易にします。C*Spを対象物内部に組み込んだり成形して、装着面と対象物の隙間を２mm以下にすることも可能です。
【００４６】
請求項４は、変形自在で細長い線または帯状の引っ張り線材FPで、前後左右に傾かない装着状態と位置を保持する壁掛装置です。装着面の方へ引っ張って固定する、前記線材FPの一端を、対象物の上端部に仮固定しておきます。固定手段としては、上辺端面の中央部に補助部品AM[図１−３]や、連結線材FCで固定する補助部品CN[図６−３]や、ピンやリングなどの補助部品があります。
また、対象物の上端部分に前記FPを固定する穴や溝を加工して、直接前記FPの一端を固定する手段もあります。てこの原理による前後の傾き調整には装着面と接触する支点が必要で、前記固定手段部と離れた下方に、間隔保持部品S*または最大の突出部分を設けます。前記一端を固定された線材FPを装着面の方向へ引っ張ったり緩めたりすれば、下方の接触部分を支点として上方の隙間が変化し、前後の傾きが調整できます。
【００４７】
前記引っ張り線材FPを仮固定した状態で、掛け紐FOをフックH*に掛けて対象物の重量を支持します。上方に従来のフックを設置して宙吊り状態で吊るしたり、展示会場などで、対象物の背面でワイヤーに連結固定した宙吊り状態のフックに掛け紐を掛けても同じ状態です。重量を支持した状態で、前記フックH*に前記FPをかけ、前後の傾きを調整します。
前記FPの他端を固定する手段がある部品や装置は、構造物の端面が装着位置近くにあれば固定装置D*で他端を固定して[図５−３]、ピン刺しなど位置決め固定ができる近くの場所に固定したフックH*に掛けて[図５−４]、また装着位置近くで位置決め固定した、または常設してある部品や装置などです。対象物に一端を仮固定した状態の前記FPの他端を固定したあと、仮固定を緩め、引っ張って傾きをなくして再固定します。
【００４８】
前記FPの他端を、装着面の近傍で前記連結線材FHの上方固定点に固定すれば、FPとFHの三本吊りになります。前記FPは対象物を装着面方向へ引っ張る力が必要なので、位置決め固定ができる対象物の近くか、パーティションやドアなどであれば補助部品DDや固定装置D*で近くの側端面に固定できます。前記FPは位置の保持も兼ねますので、他端の固定場所は、対象物にできるだけ近く、異なった二箇所が望ましい場所です。
【００４９】
装着位置で重量を支持する強度が得られない場合や、傷をつけたくない場合は、上方の構造材や構造物に一端を固定した連結線材FHに、装着位置でフックHFを連結固定して重量を支持します。上方で前記FHを固定する手段は、桟や柱などの構造材に固定した木ネジやフックに掛ける、前記レールを設置するなど従来の技術もありますが、本考案では、角棒BBや前後面がある構造物の上縁に固定装置D*で固定する手段があります。
【００５０】
請求項５は、ドアやパーティションなど前後面がある構造物の端面部に鞍形状の前後脚を被せて、変形自在で細長い線や帯状の連結線材FHの一端を固定する装置D*で、前記装置の固定手段がネジなどの調整機構ではなくて、前記連結線材の張力で端面や前後面に押しつけて固定する構造が特長で、[図５]に組み立て構造および実装例を示します。前記連結線材FHの固定装置D*にある部分は、線材FDとして説明します。
前記固定装置D*は、略Ｌ字形状の前脚DFと後脚DRと前記線材FDとで構成され、前記DFとDRの前後面の中央上端には前記FDが入る穴または下端までの溝があり、前脚DFの端面部は中央が切り欠かれて、左右面が構造物端面と接触してのびて後端部分は後脚DRの端面部と重なり、後脚DRの端面部は前記FDの一端を固定する手段があり、前記FDをそのままか別の線材を直結して伸ばして、装着位置のフックHFや補助部品等に連結固定して支持します。
前記線材FDの一端を後脚DRの穴または溝を通して上端の固定手段部に固定して、前脚DFの上部から前記DFの穴または溝に入り、連結線材として装着位置のフックや補助部品等に連結固定しますので張力がかかり、前記張力で後脚DRを構造物の後面へ、前脚DFを構造物の前面と端面へ押しつけて、面接触による摩擦力で前後面がある構造物の端部に固定しています。本考案の固定装置D*は、構造物に傷跡や接着剤をつけないで固定できます。  
【００５１】
前記固定装置D*の組立実施例を[図５−１]に示します。前後脚が略Ｌ字形状で端面部分で図のように一部重なり、前記FHとなる線材FDは図に矢印で示す方向に、端面の穴を起点に後脚DRの後端から溝を通して一周して固定手段部に固定され、前脚DFの上部から前記DFの穴または溝に入り、連結線材FHとして装着位置のフックHFの方へ引っ張られます。張力で前後脚DFとDRの間隔は縮み、左図の実装状態側面図のように上端部に固定されます。
[図６−１]は、連結線材FHの端末に、後脚DRの後面中央溝幅より太いスリーブをカシメて抜け留めにして前記溝に引っ掛け、上端の穴から上方へ出て、前脚DFの上部から前記DFの穴または溝に入り、装着位置で連結固定するフックHFの方へ引っ張って固定する構造の固定装置D*です。鋭角に曲げ難い金属線のワイヤーなど、細くて高強度の連結線材の場合の実施例です。
前後脚が分離していますので、前記FDの張力で後脚DRが端面の方へせり上がらないように押さえる手段が必要です。[図５−２・３]でみられる後脚DRの折り曲げ部の下側左右に切欠きがあり、前脚DFの端面側板の後方部分を差し込み重ねます。[図５−１]左図は実装状態で、前記FDの張力は前脚DFを装着面と端面に押しつけるよう働き、前記切欠きに入った後方部分は、FDの張力がある限り外れず、後脚DRはせり上がりません。
【００５２】
請求項５に記載の固定装置D*と、連結線材FHとフックHFと掛け紐FOとを構成要素に含む壁掛装置は、装着手順として、連結線材FHの一端を固定した装置D*を前後面がある構造物に被せ、前記FHに装着位置でフックHFを連結固定し、先に対象物に端を固定した掛け紐FOをフックHFに掛けて、装着面に位置決め固定をした方が、線材FHにかかる張力やフックHFの固定手段部にかかる荷重が自然になります。
本考案の固定装置D*の構成要素は、対象物や装着場所の条件に合わせて、材質や厚さや寸法で作成しやすい簡単な構造です。調整機構がなくて構造物の端部に被せるだけで固定できます。動く構造物であるドアに軽量な対象物を掛けて位置決め固定ができない場合でも、側端面の固定装置D*で位置を決めればドアの開閉でもぶらぶらせず、希望位置で容易に着脱できて前後左右に傾かない装着状態が保持できます。
【００５３】
請求項６は、吊り下げ用レールのような大掛かりな機構で、装着面から離れた位置から吊り下げる装置を上方に設置するのではなく、[図６−１]のように水平上端面がある角棒BBを、前後面がある構造物として装着面と５mm以下の間隔で構造材に木ネジで常設して、前記連結線材FHの一端を、前記固定装置D*で固定して重量支持をする壁掛装置です。前記５mmは目安ですが、できるだけ装着面に近い必要な間隔です。
前記BBは、後面がない桟や後面はあっても下方に抜けていない長押とは違い、装着面側が取付手段部分以外は上下に抜けているので、前記BB自体の装着面からの突出量（厚さ）があっても、装着面に前記線材を沿わせて垂らして、装着位置で連結固定することができます。パ−ティションやドアでなくても、前後面がある構造物として、固定装置D*やDDが活用できます。
【００５４】
請求項７は、外箱に入ったままの対象物や鏡など、穴をあけたり傷をつけたりできない対象物に、変形自在で細長い線や帯状の連結線材FCと補助部品CNで構成する固定装置を取り付け、壁掛装置の構成要素を対象物に取り付けた壁掛装置です。対象物角の前面と直角な二端面に前記CNが接触し、前面の一部に前記FCかまたはCNが接触して、前記FCを前記CNにある穴や切欠きに掛けて、前記二端面を押しつけるように引っ張って、張力で対象物の厚みを前後に挟みつけて固定します。
[図６−２・３]に前記CNを四隅に配置し、掛け紐FOを下方のCNに、引っ張り線材FPを上方のCNに取り付けた実施例を示します。対象物の角部に配置した補助部品CNは、前面の一部と直角な端面に面接触して、対象物の背面の位置に連結固定する手段として切欠きがある構造です。連結線材FCで対角位置の前記切欠きを張力をかけて連結して、直角な二端面に前記CNを押し付けて、対象物に掛け紐FOと引っ張り線材FPを固定しています。
【００５５】
[図６−２・３]を見ながら壁掛装置の構成要素を取り付ける手順を説明します。前面を下にして置かれた対象物の下端左右角に、補助部品CN1*を配置します。掛け紐FOは、上辺中央部に長さを決める治具を被せて紐FOの輪を掛け、前記FOの両端を前記CN1*切欠き部に固定して治具を外します。次に釣糸FPを前面側に仮固定した、補助部品CN2*を上辺左右に配置し、前記FCで図のように対角方向に張力をかけて、対象物に前記CNを固定します。
装着は前記FOの輪をフックHFに掛けて重量を支持します。近くの常設してあるフックHSに仮固定した透明な釣糸FPを掛けて前記CN部の仮固定を緩め、引っ張って装着面と四隅のCN後端を接触させて背面の隙間を均一にし、対象物上辺のCN2*の前面部分に再固定して、前後左右に傾かない装着状態を保持します。外すときは、前記FPを緩めて紐掛け状態にして、容易に外すことができます。
【考案の効果】
【００５６】
本考案の壁掛装置は、装着位置に構造材がなければ、上方の構造材や構造物に連結固定して重量を支持しますので、薄壁や脆い壁面に、また接着や吸着などの従来の手段で装着面に位置決め固定しても、環境条件や経時変化で耐荷重量が減少する従来の不安がなく、位置決め固定が仮に外れても落下しません。また、壁内の構造材のある位置を音で捜して対象物を装着する必要もなく、希望位置に対象物を装着してかつ安全は確保できます。
【００５７】
本考案のフックH*は、組み合わせる相手により、紐掛けにも、下端面掛けにも、間隔の保持にも、前後の位置決めとしても、単機能でも複合機能でも使えます。従来のフックのような装着面からの突き出しもなく、上方の空間も少なくて掛けられ、薄く小さく目立たない構造です。対象物により壁掛装置構成の仕様が変わっても、同じフックH*が利用できますので、装着物がなくても、壁面内部の構造材の位置にフックHSを常設しておけます。
また前記フックH*には複数本の紐や線材や下端面を掛けられ、間隔保持部品SHや、表示タグを吊り下げたり、インテリア部品を掛けたり、地震の倒れ防止に線材の一端を掛けて連結したりと、少ない突出量で複数の支持ができます。保持部材C*Psの下端面c2と対象物の背面に固定した紐FOと、両方を上端面h2とh0に掛けることもできますので、地震などで一方が外れても、他方が外れなければ落下事故にならない構成も可能です。
【００５８】
従来のフックは、[図１−５]のように設置部と紐を掛ける重量支持部とが離れていますが、本考案のフックHSの構造は、[図１−４]のように、取付手段の木ネジの胴体部に直接紐を掛ける構造です。したがって強度が心配な接合や固着部分がなく、材料や接合部分に必要以上の強度は要求されません。仮にフックHSの材料が破損しても、掛け紐FOは木ネジに引っかかり落下しませんので、多少脆くても環境に優しい材料が使えます。
設置手段部Fxに上下の穴または溝と位置決め固定の手段があるフックHFは、連結線材FHに連結固定して装着位置に設置できます。仮に位置決め固定が外れても、対象物は宙吊りになるだけで落下しません。上下に連結できる前記フックHFは、従来のフックでは困難であった、中心を一致させて上下に並べて対象物を展示することもできます。
【００５９】
対象物背面に両端を固定した掛け紐FOの中央に輪を作り、本考案の前面が略四角形状で突出量が少ない構造のフックH*に掛けますので、前記H*の上端面h2で重量を支持しながら容易に掛け外しができて、対象物背面の隙間は少なくできます。前記輪で左右の中央位置が決まりますので、傾き調整も必要なくなります。対象物裏の狭い隙間や見えない場所であっても、手探りで掛け外しができ、地震の上下動でも外れ難くなります。
【００６０】
装着面に設置したフックH*と、対象物背面上部にある保持部材C*と、掛け紐FOとで構成する壁掛装置は、嵌め合い構造ではなく、それぞれの間隔内に相手のツバ状板Fgを入れた装着状態で、対象物下端の背面に指が入る隙間ができる寸法関係です。対象物背面と装着面が接触していて隙間がないように見えても、対象物の下端を持って容易に掛け外しすることができます。
【００６１】
装着手順は、見える状態のフックH*に中央に輪がある掛け紐FOを先に掛けて重量支持と左右に傾かない状態にし、次に対象物を持って保持部材C*を掛ける動作で、前記C*の傾斜面Slに前記H*の面取部分Prを接触させ、重力で装着位置へ案内されて前後の傾きをなくし装着状態を保持しますので、足元から対象物を持ち上げて装着する従来の動作に比べて、移動距離が短く、装置を見なくても容易に装着できます。
外すときは、前記対向面c1の高さ分まっすぐ上方に持ち上げれば、容易に外れて紐掛け状態になりますし、重い場合は略垂直面c3の高さ分傾けて持ち上げて傾斜面に沿って重量を支持しながら斜めに持ち上げて外して紐掛け状態に戻し、掛け紐FOを持って容易に外すことができます。
【００６２】
従来の対象物裏の狭い隙間でフックに紐を掛け、さらに装着面に紐を固定していた困難な作業を、本考案は、設置したフックH*を見ながら広い空間で紐FOと間隔保持部品SHを掛け、対象物の下端を持って背面上端にある保持部材C*を掛ける動作で前後左右に傾かない保持をし、容易な着脱で傾かない装着を実現しています。着脱の工程は増えていますが、全て容易な動作です。また接触は面接触で、衝撃にも強く、装着状態を保持します。
【００６３】
本考案のフックH*と保持部材C*Spとの構成の壁掛装置は、従来の穴掛けと違い、さらに優れた効果があります。フックH*の水平上端面h2と前記C*Spの下端面c2とが面接触して、掛けただけで重量支持とともに左右の水平と高さ位置が保持され、傾き調整が不要です。前記H*の対向面h1と前記C*の略鉛直面c1の接触も面接触で保持機能があり、嵌め合いと違い対象物背面と装着面が接触していても下方で指を入れることができ、着脱が容易です。
【００６４】
さらに掛け紐FOを併用しますので、先に掛け紐FOをフックH*に掛け、次に対象物を持って前記C*Spを掛ける動作で傾斜面SlとフックH*の角部Prを接触させれば、掛ける動作の移動距離が短く、装置を見なくても容易に装着できます。外すときも一旦紐掛け状態で重量が支持されますので容易です。また地震などで重量支持の端面部が外れても、紐FOが外れなければ落下事故は防げます。
【００６５】
前後面がある構造物の端面に被せるだけで固定する、調整機構が不要の固定装置D*は、固定装置の着脱が容易で、傷跡や粘着剤を残さずに固定できます。装着位置でフックHFを連結線材FHに張力をかけて位置決め固定すれば、希望の高さ位置で容易に着脱できて前後左右に傾かない装着状態を保持でき、地震などの振動・衝撃に対して対象物が軽量でも、外れにくくする効果があります。
装置D*の構成要素部品DF・DR・FDは、条件に合わせて材質や厚さや最適寸法で作成しやすい簡単な構造ですので、軽量の対象物なら、上部隙間の狭いドアや、引戸にも同じ構造で固定できます。またドアは動きますので、重量支持だけでなく側面にも固定して、左右方向の力に対して装着状態を保持させる場合にも有効です。
【００６６】
水平上端面と前後面がある角棒BBを、装着面に５mm以下の間隔で構造材に木ネジで常設しておけば、装着したいとき壁内の間柱を探したり、フックの設置手段をあれこれ考えないですみます。装着面と同じ色や透明な材料であれば目立ちませんし、十分な強度があれば、床に置いてある物を一時的に掛けたり、テレビやエアコンなど重量物を設置したり、耐震装置の構成要素としても利用できます。
【００６７】
対象物が鏡の場合や、商品を箱に入れたまま前面だけ見せて掛けたい場合など、対象物や外箱に穴をあけたり傷をつけたりせずに、補助部品CNを連結線材FCで複数の角部に固定して掛け紐FOと引っ張り線材FPを取り付け、本考案のフックH*に掛ければ、前後左右に傾かず容易に着脱できます。床や棚に置いてある置物も傷をつけずに容易に掛けられ、部屋の空間を有効に活用でき、床掃除がしやすくなります。
【考案を実施するための最良の形態】
【００６８】
展示会場で、細ピン(PN)は刺せるパーティション(Ｐtt)に、対象物背面の隙間を裏板を留めるトンボ(ST)の厚さ(２mm)に設定して、前後左右に傾かない装着状態を保持する構成の壁掛装置[図７]について説明します。前記壁掛装置は、固定装置D*と、連結線材FHと、フックHFと、保持部材CSSpと、掛け紐FOと、前記紐FOを対象物内部で固定する手段と、で構成され、Ｐttに細ピン以外の傷を付けずに、容易に着脱できます。
Ｐtt上縁に固定装置D*を被せて連結線材FHの一端を固定し、装着位置でフックHFを連結固定します。裏板を外し、上部中央を切欠きます。中央に輪を作った掛け紐FOの両端を、対象物内部の下辺左右に固定し、対象物内部の中央上枠に、保持部材CSSpを木ネジで固定し、前記裏板をトンボで固定します。装着は前記FOの輪をフックHFに掛け、装着面に前記HFを位置決め固定し、掛ける動作で前記HFとCSSpを接触させて支持・保持します。
【００６９】
[図７]で固定装置D*の材質は目立ち難い透明な樹脂で、図は二つの略Ｌ字形状の前後脚を組み合わせた構造です。前脚DFは、幅３mmの溝が中央上下に貫通しています。端面側は中央部が連結線材を通すため切欠かれ、左右に構造物Ｐttの厚さより５〜１０mm長い板があり、後脚DR上端の折れ曲がり部左右にある切欠きに、後端部が差し込まれて浮きを防ぎます。後脚DRの中央上下にも幅３mmの溝が、折れ曲がり位置まであります。
図で前脚DFと後脚DRを一体化する線材FDは外径１mmのワイヤーで、前記FDの端末部に輪を作り、端面中央の穴を起点に、後脚DR上端を通り、折り曲げ部後端の溝から端面配置板の下を通って、前記FDの輪を通して固定した後上方に抜け、前脚DFの折り曲げ部上端から前面の溝に入った状態でＰttの上縁に被せ、そのまま連結線材FHとして下方へ引っ張って固定し、装着位置でフックHFに連結固定します。
張力で後脚DRはＰttの後面に、前脚DFは上端面に押し付けられて、[図７−１]左図の実装状態側面図のように上端部に固定され、連結線材FHにかかる重量を支持します。装着位置では、フックHFの固定手段部Fxにある上下の蛇行溝に前記FHを入れ、前面からビスで固定して、さらに溝の径より太い抜け留め部品をフックHFの下端面に当てて連結固定し、重量をかけた状態で、細ピン(PN)でフックHFを装着面に位置決め固定します。
【００７０】
装着位置に設置するフックHFは、[図１−２]で幅３０mm、高さ２０mmの、前面が略四角形状の透明な樹脂で、ツバ状板Fgの厚さは２mm、対向面h1と装着面との間隔は４mmです。掛け紐FOは撚り紐で、中央部に周長１０cm程度の輪を作ってあり、裏板を外して、対象物上辺中央に被せた治具に前記輪を掛けて、前記HFとCSSpが接触した状態で弛む長さにし、対象物内部で下方の左右枠に木ネジで取り付けた補助部品に両端を固定しています。
対象物内部の上枠に取り付ける保持部材CSSpも透明な樹脂で、[図２−４]で幅６０mm、高さ２０mm、略鉛直面c1の左右間は、外側が３１mm、内側が２０mmで、前記c1の下端から下方１０mmに亘って板厚が薄くなる方向に１mm、左右に１０mmの勾配の傾斜面c0があり、上端に重量支持される下端面c2があり、取付手段の皿穴があります。前記面c1やc0があるツバ状の板の厚さは２mmで、面c0の奥に左右に下降する傾斜面Slがあります。
前後の寸法関係は、前記HFの面h1と装着面との間隔は４mmで、前記CSSpの面c1は対象物背面より２mm奥にあり、前記面h1と面c1が面接触した状態で、対象物背面と装着面の隙間は２mmです。またそれぞれの間隔内に入るそれぞれの板Fgの厚さは２mmで、装着状態でも対象物は約６°傾けられ、背面下端には４cm以上の隙間ができ、下端に指を入れて対象物を持ち、容易に着脱することができます。
【００７１】
対象物背面の裏板は、[図７−２・３]のように、上端から幅６０mm、高さ４０mmで四角い窓状に切欠かれ、窓の下辺から掛け紐FOが出て、フックHFの前面板Fgは、窓の中に入ります。裏板を留めるトンボSTは、上枠にあった分は外します。前記トンボがあると、面h1と面c1が接触した状態で前記トンボが装着面と接触し、[図３−２]のように対象物を傾けられません。装着状態を[図３−３]に示しています。
前記紐FOは、前記裏板の窓から出ているので、中央の輪を持った状態では窓の下辺に当たり、天地が逆になりません。掛け紐を固定するための補助部品があらかじめ付いていれば、対象物背面の隙間が前記トンボ(２mm)より厚いので、外しておきます。上枠の強度と対象物の重量によっては、外枠の補強をしておきます。
【００７２】
装着は、先に前記紐FOの輪をフックHFに掛けます。掛け紐中央の輪を持っても、裏板の切欠き部分に引っ掛かり、天地が逆さにはなりません。フックHFを装着面に細ピン(PN)で位置決め固定し、対象物の下端を持って[図３−２]のように傾けて、掛ける動作でフックHFの面取り部分Prと保持部品CSSpの傾斜面Slを接触させれば、重力に案内されて前記HFのツバ状板FgがCSSpの空間Crに入り、
面h1とc1、面h2とc2が接触して、重量支持と、前後左右に傾かない装着状態になり、保持されます。外すときは、対象物を持って持ち上げれば裏板の切欠き上端にあたり、容易に紐掛け状態になり掛け紐を外せます。紐FOは着脱を容易にし、前記CDSpが外れても対象物を落下させない効果があります。
【実施例１】
【００７３】
装着位置に設置したフックH*と、重量支持の掛け紐FOと、前記FOを固定する部品SFと、引っ張り線材FPと、前記FPを固定する補助部品AMとで構成し、容易に着脱できて前後左右に傾かない装着状態を保持する壁掛装置[図３−１]について説明します。図は構造材Stに木ネジで設置したフックHSですが、他の設置手段のフックでも壁掛装置の構成要素と対象物を着脱する手順は同じですので、設置手段を特定しない符号のフックH*で説明します。
【００７４】
前記フックH*は、幅３０mm、高さ２０mmの、前面が略四角形状の透明な樹脂で、装着面から前面までの突出量は６mmです。掛け紐FOは撚り紐で、中央部に周長１０cm程度の輪を作ってあり、対象物上辺中央に被せた治具に前記輪を掛けて長さを決め、背面下方の左右枠に木ネジで取り付けた、透明な樹脂で前記フックの突出量と同じ厚さ６mmの補助部品SFに、両端を固定しています。
[図１−３]で対象物の上枠中央に木ネジで取り付けた、前記線材FPを固定する補助部品AMも同じ透明な樹脂です。前記AMは、幅５０mm、高さ１５mm、曲がり辺９mmの略Ｌ字形状で、対象物の上端から５mm突き出し、対象物背面と接触するフックH*のツバ板Fgの前面の左右に位置します。引っ張り線材FPは、上部に必要な隙間ができる長さ５０cm程度の釣糸で、対象物上端の前記AMに両端を仮固定した状態で装着作業をします。
【００７５】
装着は、[図３−４]のように対象物の天地と前後を逆にして広い場所で掛け紐FOの中央の輪をフックH*に掛けて、矢印のように天地を戻して、[図１−３]のように前記線材FPを前記H*に下から掛けて[図３−１]の状態にし、仮固定を外して上方で前記FPを引っ張り、前記フックH*の前面と対象物背面とが上方で、装着面と前記SFとが下方で接触して、前後の傾きがなくなった状態で再固定して、前後左右に傾かない装着状態を保持します。
外すときは逆の手順で、前記AMに固定した引っ張り線材FPの固定を緩めて、対象物上端に作業隙間を作った状態で仮固定して、フックH*から前記FPを外して[図３−４]の状態にし、掛け紐FOを外します。作業工程は増えますが困難な作業はなく、容易な着脱で、前後左右に傾かない装着状態を保持できる壁掛装置です。
【実施例２】
【００７６】
実施例１の線材FPを使わず、面接触で位置を決める保持部材C*と、装着位置に設置したフックH*と、重量支持の掛け紐FOと、前記FOを固定する部品SFと、下方の間隔保持部品S*とで構成し、対象物を持って掛け外す動作で着脱できて、前後左右に傾かない装着状態を保持する壁掛装置の基本構成を[図３−２]で実施例を[図４]で説明します。図は前記C*を木ネジで取り付けた保持部材CSですが、取り付け手段を特定しない符号C*で説明します。
【００７７】
前記フックH*は前述の実施例１と同じ材質・同じ寸法で、ツバ状板Fgの厚さは２mmで、対向面h1と装着面との間隔は４mmです。下方で掛け紐FOを固定する補助部品SFは、厚さが上方でフックH*と前記C*が接触してできる隙間と同じ８mm以外は、実施例１と同じ材質・同じ寸法です。掛け紐FOも実施例１と同じで、対象物の左右下方の前記SFに、両端を固定してあります。
保持部材C*はフックH*と同じ透明な樹脂で、[図２−１]で、幅６０mm、高さ２０mm、略鉛直面c1の左右間隔は、外側が３１mm、内側が２０mmで、前記c1の下端から下方１０mmに亘って対象物から離れる方向に１mm、左右に１０mmの勾配の傾斜面c0があり、前記面c1や面c0がある板Fgの厚さは２mmです。また取付手段部Fxには、取付手段の皿穴c4と、左右に下降する傾斜面Slがあり、さらに左右の部品を連結しているベース板Bsがあります。
前後の寸法関係は、前記H*の面h1と装着面との間隔、および前記C*の面c1と取付面との間隔は４mmで、前記h1とc1が面接触した状態で、対象物背面と装着面の隙間は８mmです。またそれぞれの間隔内に入るそれぞれの板Fgの厚さは２mmで、装着状態で対象物は約６°傾けられ、背面下端には４cm以上の隙間ができ、下端に指を入れて対象物を持ち、容易に着脱することができます。
【００７８】
[図４−１]は、装着位置に構造材がなく、対象物の中央からずれた位置に間柱Stがある場合で、従来は希望位置より前記Stの位置に対象物を装着していましたが、二つのフックHSを上方の前記Stに木ネジで固定し、連結線材FHと引っ張り線材FPで左右位置を決めて、希望の位置にフックHFを位置決め固定して、対象物を希望の位置で、前後左右に傾かない装着を実現する実施例です。フックHSで二種類の線材の固定方法を示しています。
右図は重量を支持するワイヤーの一端にスリーブをカシメて太くして、透明樹脂のフックHSの設置手段部Fxにある上下溝に連結線材FHを入れて固定しています。左図は透明樹脂のフックHSの設置手段部Fxに引っ張り線材の釣糸FPを掛けて、前記FHを左の方向へ引っ張って、装着希望位置の真上で固定し、装着位置でフックHFを細ピンで抜け留め固定して重量を支持しています。
【００７９】
前記H*とC*を構成要素に含む実施例[図４−２・３]は、対象物の重心を挟んで上下二本の掛け紐FOが、４個の補助部品SFに固定されています。前後の傾きをなくし、装着状態を保持する厚さ８mmの間隔保持部品SHが二点鎖線でフックHFに掛けられています。前記SHは装着面と面接触しますので、あれば摩擦力で装着状態を保持し、耐衝撃に強くなります。
[図４−２・３]で、着脱の手順を説明します。装着位置にフックH*を設置し、間隔保持部品SHに、装着状態で対象物の下方に配置される長さの掛け紐を付けて、フックH*に掛けます。対象物背面の上枠中央に保持部材CSを木ネジで固定し、左右枠の上下の重心を跨ぐ位置に、掛け紐FOを固定する４個の補助部品SFを木ネジで固定します。
掛け紐FO1*の長さは、中央を輪にした紐FO1*を前記部材CSの位置に仮設した治具に掛け、張力をかけた状態で紐FO1*の両端を前記SF1*に固定し、治具を外すと、輪の位置を中央にした掛け紐の長さが決まります。掛け紐FO2*の長さは、[図４−２]の上辺隙間を作るのが目的なので、中央に作る輪を大きめにすれば、前記上辺隙間は広くなります。隙間の量は前記輪の大きさで調整して、補助部品SF2*には左右に張った状態で固定します。
【００８０】
装着は、紐FO1*・FO2*の輪をフックH*に掛けて、[図４−２]の状態にし、対象物の左右下端を持ってフックH*に掛ける動作で、前記H*部分Prの一方を構造C*のFx部下端傾斜面の左右幅内で接触させますと、重力がフックH*のツバ板Fgを略垂直な面c3間へ案内します。対象物は掛け紐FOが弛まない高さ位置で支持され、フックH*や構造C*を見なくても、容易に前後左右に傾かない装着状態になります。
外すときは、装着状態でも対象物を傾けて下端を手で持つことができますので、前記C*の高さ(実施例では２０mm)以上まっすぐ上方に持ち上げれば、容易に外れて紐掛け状態になりますし、重い場合は前記Prを再び前記Fx下端の傾斜面と接触させて、重量を支持させながら斜めに持ち上げて外すこともでき、容易な着脱で、前後左右に傾かない装着状態を保持できます。
【実施例３】
【００８１】
実施例２の保持部材C*を、フックH*の上端面h2と接触して重量支持される板Spがある保持部材C*Spに替えて、さらに裏板を切欠いて対象物に内蔵した保持部材CSSpと、装着位置に設置したフックH*と、対象物内部で左右枠に端を固定した掛け紐FOと、裏板固定の部材で間隔保持機能のトンボSTとで構成し、対象物を持って掛け外す動作で容易に着脱できて、前後左右に傾かない装着状態を保持する壁掛装置[図３−３]について説明します。
【００８２】
フックH*は前述の実施例２と同じ材質・同じ寸法です。裏板を留めるトンボSTは額縁に使われている従来品で、厚さは２mmです。掛け紐FOも実施例２と同じですが、補助部品SFを外付けすると隙間になりますので、裏板内部の左右枠に両端を固定して、前記H*とCSSpが接触したとき弛む長さにします。裏板の中央上端部は[図２−４]のように、幅６０mm、高さ４０mm以上切欠かれており、切欠き部分から紐FOを出してフックH*に掛けます。
保持部材CSSpは、実施例２に記載の部材C*と同じ透明な樹脂で、[図２−４]で幅６０mm、高さ２０mm、左右間距離や傾斜面も同じで、上端に重量支持される板Spがあります。前記CSSpは、図のように対象物背面から突出しない位置に、取付手段部で上枠に木ネジで固定されます。前後の寸法も実施例２と同じですが、対象物に内蔵してあるので前記h1とc1が接触した装着状態で、装着面と対象物背面との隙間は、前記STの２mmに設定します。
【００８３】
[図３−３]に装着状態を示します。装着は、裏板の切欠きから出した紐FOの輪をフックH*に掛け、次に対象物の左右下端を持って、前記切欠きの左右幅の範囲で前記H*に掛ける動作で、前記H*の上端角の面取り部分Prの一方を、構造CSSpの傾斜面の左右幅内で接触させます。重力を利用して、前記傾斜面に沿って、前記h2とc2が接触する高さ位置まで案内されて支持され、掛け紐FOは弛み、容易に前後左右に傾かない装着ができます。
外すときは、背面の隙間が２mmしかなくても、[図３−２]の状態に傾けられますので、対象物下端に指を入れて両手で持ち、裏板の切欠きに当たるまでまっすぐ上方に持ち上げてさらに傾ければ、容易に外れて、[図３−１]のように対象物が傾いた紐掛け状態になります。前記状態では、上端に十分な隙間がありますので容易に掛け紐を外すことができ、容易な着脱で前後左右に傾かない装着状態を保持できます。
【実施例４】
【００８４】
装着位置に構造材がなくて細ピンが刺せる場合、前後面があるパーティション(Ｐtt)の上縁に固定装置D*を被せて連結線材FHの一端を固定し、装着位置で、フックHFを連結固定して重量を支持し、細ピン(PN)で位置決め固定して前記HFを設置する構成[図７−１・２]と、実施例２で説明した壁掛装置の構成[図４−２・３]を組み合わせて、掛け外す動作で着脱が容易にできて、前後左右に傾かない装着状態を保持できる壁掛装置を説明します。
前記壁掛装置は、前後面がある構造物の上縁で連結線材FHの一端を固定する固定装置D*と、前記FHと、前記FHに連結固定して装着面に細ピンPNで位置決め固定するフックHFと、対象物の上枠中央に取り付けた保持部材C*と、対象物背面で左右枠に取り付けた補助部品SFと、前記左右のSFに両端を固定した掛け紐FOと、間隔保持部品SHと、が構成要素です。前記FHで重量を支持し、実施例２の構成で前後左右に傾かない装着状態を保持します。
【００８５】
[図７−１]の固定装置D*の組み立て図や上・側面図が見られる[図５]で、前記D*の構造を説明します。前記D*は構造物の端面部にあって外から見えますので、材質は目立ち難い透明な樹脂とします。図は二つの略Ｌ字形状の前後脚を組み合わせた構造です。
前脚DFは、幅３mmの溝が中央上下に貫通しています。端面側は[図５−２]のように、中央に前記連結線材を通す穴があり、左右に構造物Ｐttの厚さより５〜１０mm長い板があり、後脚DR上端の折れ曲がり部左右にある切欠きに、後端部が差し込まれて浮きを防ぎます。後脚DRの中央上下にも幅３mmの溝が、折れ曲がり位置まであります。
【００８６】
[図５−１]で、前脚DFと後脚DRを一体化する線材FDは外径１mmのワイヤーで、そのまま連結線材FHとして装着位置のフックHFに連結固定されます。前記FDの端末部に輪を作り、組立図の矢印に沿って、端面中央穴を起点に、後脚DR上端を通り、折り曲げ部後端中央の溝から端面配置板の下を通って前記FDの輪を通して固定した後上方に抜け、前脚DFの折り曲げ部上端から前面の溝に入り、連結線材FHとして下方の装着位置の方へ引っ張ります。
張力で後脚DRはＰttの後面に、前脚DFは上端面に押し付けられて、[図７−１]左図の実装状態側面図のように上端部に固定され、連結線材FHにかかる重量を支持します。装着位置では、フックHFの固定手段部Fxにある上下の蛇行溝に前記FHを入れ、前面からビスで固定して、さらに溝の径より太い抜け留め部品をフックHFの下端面に当てて宙吊り状態にし、細ピン(PN)でフックHFを装着面に位置決め固定しています。
【００８７】
[図５]で、固定装置D*とフックHFが構成要素にある壁掛装置の設置方法を説明します。固定装置D*は、組立図のように前後脚の端面配置部で線材FDを曳き回した状態で、Ｐttの端面に被せます。後脚DRの左右切欠きに前脚DFの後端を差し込み、前記線材FDを装着位置の方へ引っ張ると、前後脚でＰtt前後面を挟みつけて一体化されます。前記FDを連結線材FHとして装着位置まで垂らし、フックHFに連結固定して、宙吊り状態にします。
[図４−２]で、前記宙吊り状態のフックHFに対象物に固定した掛け紐FOを掛けて、重量を支持した状態にして、細ピン(PN)でフックHFを装着面に位置決め固定して設置します。対象物を持って、構造C*を掛ける動作で装着する掛け外し手順は、実施例２で説明してあり、容易に着脱できて前後左右に傾かない装着状態を保持しています。
【実施例５】
【００８８】
装着位置にフックH*を固定できない場合、パーティション(Ｐtt)の端面部に固定装置D*を被せて線材FHやFPを固定して、重量支持は連結線材FHにフックHFを連結固定して左右枠の補助部品SFに両端を固定した紐FOを掛けて、装着面側と対象物の左右上端に取り付けた補助部品ASに引っ張り線材FPを仮固定して引っ張り、対象物を傾かない状態にして再固定し、前後左右に傾かない装着状態を保持する構成の壁掛装置[図５]について説明します。
【００８９】
[図５]で固定装置D*は、パーティション(Ｐtt)の上縁と側端面で使われています。上縁の固定装置D*と、連結線材FHと、前記FHに連結固定するフックHFと、前記FHに掛ける紐FOの材質と寸法と掛け外し手順は実施例４と全く同じです。補助部品SFは、厚さが６mmで、対象物の上下の重心位置で左右枠に取り付けています。フックHFは宙吊り状態ですので、保持部材C*や、実施例１の引っ張り線材FPを掛けても、対象物は前方に傾きます。
[図５−２・３]で、対象物の上部左右端に取り付けた補助部品ASは透明な樹脂で、背面と側面に接触させて背面から木ネジで固定しています。対象物より上方に５mm出ており、前後の重心位置より手前側にある切欠きに、透明な釣糸FPの端を仮固定します。装着面側の他端の固定は、左側の釣糸FP1Lは近くのＰttの側端面に固定装置D*で固定され、右側の釣糸FP1Rは近くの位置決め固定ができる場所で、細ピンで固定したフックHPに掛けます。
【００９０】
[図５−２・３]で、前後左右に傾かない装着手順を説明します。先ずフックHFに前記FOの中央の輪を掛けて、対象物の重量を支持して左右の傾きをなくしています。掛け紐FOを掛ける手順は前述しました。掛け紐FOは対象物の上下の重心位置に両端を固定しましたので、紐FOを持っても天地が逆にならずに掛けられ、補助部品SFの装着面との接触部を支点にして、前記FPを引っ張ったり緩めたりして前後の傾き調整ができます。
[図５−３]の左側では、固定装置D*を組立て状態にして適当な長さで切断した釣糸FP1Lを補助部品AS1Lに仮固定し、右側では、釣糸FP1Rの一端に掛け輪を作り、適当な長さで切断して補助部品AS1Rに仮固定してあります。固定装置D*は構造物側端面に被せて、前記掛け輪は装着面のフックHPに掛けて、それぞれの仮固定を外して引っ張り、傾きのない状態にして再固定します。外すときは引っ張り線材FPを外して、紐掛け状態にします。
【実施例６】
【００９１】
表面は薄板で、壁内に一定間隔で間柱(St)があり、天井直下にアルミの角棒材(BB)を、装着面と間隔をあけて間柱の位置ごとに木ネジで常設してあり、また前記BBの下方には、透明なフックHSを間柱の位置ごとに木ネジで常設してある装着面(Ｗal)に、傷をつけたくない対象物(Ｏbj)を、前後左右に傾かないよう装着できる壁掛装置の構成[図６]について説明します。装着面には細ピン(PN)を刺して、位置決め固定ができるものとします。
前記壁掛装置は、前記常設の角棒材BBに被せる固定装置D*と、前記D*に一端を固定した連結線材FHと、前記FHに連結固定するフックHFと、前記HFを位置決め固定するピンPNと、前記HFに掛ける紐FOと、前記常設フックHSに一端を固定する引っ張り線材FPと、前記FOとFPを対象物に固定する四隅に配置した補助部品CNと、前記CNを対象物背面で連結固定する線材FCとで構成します。
【００９２】
[図６−１]で角棒材BBは装着面と同じ色の横長棒で、装着面との隙間は４mmです。固定装置D*はＰtt上縁の場合は実施例４で説明していますが、前記BBに被せる場合は、前脚DFが奥の装着面側で後脚DRが前記BBの前面側になり、奥の装着面側から線材FHが垂れます。連結線材FHは、端末にスリーブをカシメて後脚DRの溝に引っ掛けて固定して、装着位置で透明樹脂のフックHFに連結固定して、前記HFは装着面にピンで位置決め固定しています。
【００９３】
補助部品CNは透明な樹脂で、[図６−２・３]のように前面側は角部を斜めによぎる面があり、直角な側面部は背面位置より後方にフックの厚さと同じ６mm突き出し、透明な釣糸FCで連結固定するための切欠きが、対象物の背面位置にあります。前記CN1*を下辺の左右に配置し、上辺中央部に長さを決める治具を被せて中央を輪にした紐FOを掛け、前記FOの両端を前記切欠き部に固定して、治具を外します。
次に前記部品CN2*を上辺左右に配置し、前記FCで図のように対角方向に張力をかけて、前記切欠き部にFCを固定して対象物に前記CNを固定します。装着は前記FOの輪をフックHFに掛けて重量を支持します。近くの常設してあるフックHSに透明な釣糸FPを掛けて、前記FPを引っ張って装着面と四隅のCN後端を接触させ、対象物上辺のCN2*の前面部分に固定して、前後左右に傾かない装着状態を保持します。着脱手順は実施例１に準じます。
【産業上の利用可能性】
【００９４】
対象物や装着場所や対象物の交換頻度や希望に合わせて、最適な壁掛装置の構成要素を設定する新たな概念です。安全を最優先にして、個々の装着条件や希望に合わせた装置や部品構成で対象物を装着し、複数の用途に対応できますので、一度選定するとさまざまな対象物に対して長く使え、装着の都度、適当な装置や部品を探していた従来の概念と違いますので、設置すれば長く利用していただけると思います。
床や畳の上に置かないで、壁面や柱に装着したい対象物は家庭内にも数多くあります。掃除の時など床から一時的に壁面に掛けられたら、床の掃除が大変やりやすくなります。またこれまで素人には困難であったエアコンや壁掛テレビなど重量のあるものの装着も、容易に着脱できて支持・保持機能のある本考案の壁掛装置は、着脱時間を短縮します。
最近地震が多くありますが、現行の突っ張り棒や、Ｌ金具、鎖などの倒れ防止装置は、構造材に設置されていない場合の危険性が指摘されています。本考案では重量を支持する構成要素は構造材に設置して、複数の紐や線材を掛けられますので、装着だけでなく家具の倒れ防止にも利用できます。
【図面の簡単な説明】
【００９５】
【図１】フックH*の構造と設置例と紐掛け実装例[１]  設置手段部Fxと左右のツバ状板Fgとで構成されるフックH*の構造図[２]  上方からの線材FHに連結固定し、ピンで位置決め固定したHFに紐FOを掛けた実装例[３]  位置決め固定したHFと、線材FPと、補助部品AMの構成で上方隙間をなくす実装例[４]  構造材Stに木ネジで設置したフックHSに、中央を輪にした紐FOを掛けた実装例[５]  構造材Stに木ネジで設置した従来の代表的なフックに、紐を掛けた従来例
【図２】対象物背面にありフックH*と接触して機能する保持部材C*の構造と実装例[１]  空間Crと左右に板Fgと取付部Fxとベース板Bsとで構成される部材C*の部品構造図例[２]  部材C*に加えて重量支持板Spがある部材C*SpとフックHFの、対象物透過の構成図[３]  部材C*Spを木ネジで取付けたCSSpを、装着面に設置したフックHSに掛ける実装例[４]  裏板を切欠き部材C*Spを対象物内部に取付けたCSSpを、フックHSに掛ける実装例[５]  従来型の対象物背面のだるま穴を、構造材に設置した木ネジ頭に掛ける実装例
【図３】掛け紐FOと組み合わせて前後左右に傾かない装着の実装例説明図[１]  紐FOを掛けた後、対象物背面側上端AMに固定する線材FPで前後傾きをなくす実施例[２]  フックHSに紐FOを掛けた後、対象物背面の部材CSを掛けて前後傾きをなくす実施例[３]  対象物内部に取り付けた紐FOと保持部材CSSpをHSに掛け、前後傾きをなくす実装例[４]  対象物の天地・前後を逆にしてフックHSに掛けた実装説明図
【図４】装着位置に構造材がない場合、装着面で位置決め固定した壁掛装置の構成図[１]  上方の壁内間柱にフックHSを木ネジで設置し、線材FHで下方のHFに連結した実装例[２]  上下左右の四箇所に固定した紐FOを線材FHに連結したフックHFに掛けた状態側面図[３]  紐FOの四箇所の固定位置と、スペーサSHと、フックHFと部材CSの正面透過配置図
【図５】構造物端面に固定する装置と、装着面へ引っ張り固定する壁掛装置の構成図[１]  固定装置D*の要素部品と組立例を示す、実装側面図と組立側面図と実装正面図[２]  フックHFに紐FOを掛け、構造物側端面の装置D*に線材FPで引っ張った構成の側面図[３]  FH、HF、FO、AS、FP、を組合せた構成の壁掛装置を正面から見た要素配置図[４]  線材FPを装着面の方向へ引っ張って固定する、ピンで位置決め固定したフックHP
【図６】上方の横角棒BBにD*を被せ、対象物に傷をつけずFO、FPを固定する実装例[１]  装着面上方で間隔をおいた横角棒BBに固定装置D*を被せて線材FHを固定した実施例[２]  上方からの線材FHにフックHFを連結し四隅にCNを固定しFOとFPを出した側面構成図[３]  上方からの線材FHにフックHFを連結し四隅にCNを固定しFOとFPを出した正面構成図
【図７】構造物上縁で重量支持し、対象物背面の隙間を極小にした実装例[１]  構造物上縁で実装した固定装置D*の実装例を示す側面と正面から見た図[２]  保持部材CSSpを対象物内部に固定してFH、HF、CSSp、ST、FOで構成した実装側面図[３]  FH、HF、CSSp、ST、FOで構成した壁掛装置を正面からみた要素部品配置図
【符号の説明】
【００９６】
AM：対象物上端で、引っ張って位置を決める線材FPの端を固定する補助部品
AS：対象物の側面上端部で、引っ張り線材FPを固定する略Ｌ字形状補助部品
BB：装着面と間隔をあけて構造材に木ネジで固定する、水平上端面と設置手段がある角棒
Bs：部品のベース板
C*：フックH*が入る空間Crと、略鉛直面と下方に傾斜面がある板Fgが左右にある保持部材
C*Sp：保持部材C*に加えて、重量支持される水平板Spが上端にある保持部材
CD：対象物の上縁に被せるDD前面に固定した、Crと板Fgと取付部分Fxがある保持部材
CI：対象物背面内部に加工して取り付けか成形された、Crと板Fgがある保持部材
CM：対象物背面の裏蓋に形成されるか加工されてある、Crと板Fgがある保持部材
CN：対象物の角で前面と二側面と接触し、前後で厚みを挟みつけて固定する補助部品
CS：対象物背面にネジ釘で固定される、Crと板Fgと取付部分Fxがある保持部材
c0：略鉛直面c1の下方で前方と左右に傾斜する、ツバ状の板Fgの傾斜面
c1：フックH*の対向面h1と接触して抜け留めと位置決め保持をする、左右にある対向面
c2：フックH*の設置状態で水平なツバ板Fgの上端面h2と接触して、重量支持される下端面
c3：フックH*のツバ状板Fgが入る空間Crの左右端になる略垂直な面
c4：FgとCrとSlとBsがある構造の部品を対象物に取り付ける手段の穴
Cr：保持部材C*の中央にあり、フックH*のツバ状板Fgが自重で入る大きさの空間
D*：前後面がある構造物の端面部に被せ、連結部品FDの張力で挟みつける固定装置
DD：上端面と前後面がある構造物の上縁に被せて設置する、調整機構のない鞍形状部品
DF：前後面がある構造物前面に接し、FDの張力で前面に押しつける構成D*の要素部品
DR：前後面がある構造物後面に接し、FDの張力で前方へ引っ張られる構成D*の要素部品
F*：変形自在で細長い線や帯状で、要素部品や構成を連結して支持・保持する連結部品
FC：部品CDやCNを対象物背面で連結して取り付ける変形自在で細長い線や帯状の連結線材
FD：構造物の前後面を張力で挟みつける、変形自在で細長い線や帯状の構成D*の要素部品
FH：上方で一端を固定して装着位置に連結する、変形自在で細長い線や帯状の連結線材
FO：対象物に端を固定しフックに掛けて重量支持する変形自在で細長い線や帯状の掛け紐
FP：前後左右に引っ張り位置を決める、変形自在で細長い線や帯状の引っ張り線材
Fg：取付面と間隔をあけて左右位置で対向するよう取り付けられるツバ状板
Fx：ツバ状板Fgを間隔をあけて取付面に設置または取り付ける手段があるブロック
H*：中央の設置手段Fxで、略四角形状のツバ状板Fgを左右で対向するよう設置するフック
HD：設置手段部Fxを、端面に被せる鞍状部品DDや構成D*の前面に固定したフックH*
HF：設置手段部Fxに上下の穴または溝があり、連結線材FHに連結固定するフックH*
HG：設置手段部Fxにある接着剤で固定したフックH*
HM：設置手段部Fxにあるマグネットで固定したフックH*
HP：設置手段部Fxを細ピンで位置決め固定したフックH*
HS：設置手段部Fxに前後の貫通穴があり、構造材に木ネジやビスで設置するフックH*
HU：設置手段部Fxにある吸盤で固定したフックH*
h0：フックH*の対向面h1と装着面との間にあり、紐状部品FOを掛ける設置部Fxの上端面
h1：保持部材C*の略鉛直面c1と接触して抜け留めと位置決め保持をするツバ状板の対向面
h2：保持部材C*Spの下端面c2と接触して重量支持する、設置状態で水平な板Fgの上端面
h4：線材FHに連結固定するフックHFの中央設置手段部Fxにある、上下の穴または溝
h5：ネジ止め固定するフックHSの中央設置手段部Fxにある、前後の穴または溝
Ｍir：鏡など穴をあけて取り付けるのが困難な対象物
Ｏbj：装着される対象物
PN：細ピン
Pr：着脱時に相手の傾斜面Slと接触して着脱を容易にする、面積の小さな先端部分
Ｐtt：パーティションやドなど端面と前後面がある構造物
S*：接触して厚さの間隔を保持する間隔保持機能部品
SF：対象物の背面でFOの端を固定し、部品厚さで装着面との間隔を保持する補助部品
SH：対象物下方背面と装着面との間に吊り下げて両面に接触し、間隔を保持する機能部品
Sl：着脱時に相手の先端部分Prと接触して着脱を容易にするc1の奥にある傾斜面
Sp：接触して重量を支持する、または支持される部分を有する部品
St：柱や桟など構造材
ST：対象物の裏板を留めるトンボで、部品厚さで装着面との間隔を保持する
Ｗal：壁や柱など略鉛直な装着面